(57)【要約】【課題】惑星の軌道の速度２はどのようにできるのか。銀河の腕が形を変えず回転するのはどうしてか。【解決手段】惑星の速度２は、惑星が存在する軌道のエネルギーによって作られる。惑星の軌道のエネルギーは＝太陽から出発する光子１個のエネルギー×１０５Ｋｍ×太陽の表面の原子数÷距離で、この軌道のエネルギーが加速度になり、引力になる。太陽系は腕を螺旋回転することによって、銀河の中心のブラックホールを中心に進む。地球の南極と北極は約１００万年で入れ替わる。これは太陽が腕の軌道を螺旋回転しているからです。太陽は２００万年で腕を１周する。そして、２００万年の間に１．６６×１０８Ｋｍ進む。中位の腕の中心には、太陽系を螺旋回転させるブラックホールがある。公転させるに必要な軌道のエネルギーと、螺旋回転させるに必要な軌道のエネルギーを比較する。【選択図】図２
2008193892.tif 000002
【特許請求の範囲】
【請求項１】
惑星の太陽からの距離と速度の関係はどのようであるか。見かけ上の出発した光子の軌道エネルギーについて。
私は、火星と木星の間の小惑星が衝突しないのは、小惑星が存在する軌道の速度は一定であり、小惑星の速度は、小惑星の質量や大きさには無関係であり、太陽からの距離によって、決定されると理解しました。それでは、惑星の太陽からの距離と速度の関係はどのようになっているのでしょうか。
太陽に近い惑星ほど高速です。この事は、惑星に届く太陽のエネルギーが大きいほど高速になっていることを示す。
αＪ÷（惑星の軌道）＝速度２
αＪ÷（距離×２）＝速度２
水星。αＪ÷（０．５７９×１０８Ｋｍ×２）＝４７．３６２Ｋｍ
αＪ＝２．５９７×１０１１Ｊ
金星。αＪ÷（１．０８２×１０８Ｋｍ×２）＝３５．０２２Ｋｍ
αＪ＝２．６５４×１０１１Ｊ
地球。αＪ÷（１．４９６×１０８Ｋｍ×２）＝２９．７８２Ｋｍ
αＪ＝２．６５３×１０１１Ｊ
火星。αＪ÷（２．２７９×１０８Ｋｍ×２）＝２４．０８２Ｋｍ
αＪ＝２．６４３×１０１１Ｊ
木星。αＪ÷（７．７８３×１０８Ｋｍ×２）＝１３．０６２Ｋｍ
αＪ＝２．６５５×１０１１Ｊ
土星。αＪ÷（１４．２９４×１０８Ｋｍ×２）＝９．６５２Ｋｍ
αＪ＝２．６６２×１０１１Ｊ
天王星。αＪ÷（２８．７５０×１０８Ｋｍ×２）＝６．８１２Ｋｍ
αＪ＝２．６６７×１０１１Ｊ
海王星。αＪ÷（４５．０４４×１０８Ｋｍ×２）＝５．４４２Ｋｍ
αＪ＝２．６６６×１０１１Ｊ
よって、αＪ＝２．６５×１０１１Ｊです。
光子が走ってたどり着くエネルギーの式＝ａＪ×２×１０８ｍ÷（走った距離×２）＝ａＪ×１０５Ｋｍ÷距離＝ａ×１０５Ｊ・Ｋｍ÷距離、です。ａＪは出発する光子１個のエネルギーです。
よって、惑星の太陽からの距離と速度の関係式は、
２．６５×１０１１Ｊ・Ｋｍ÷（距離×２）＝１．３２５×１０１１Ｊ÷距離＝速度２です。
見かけ上の出発した光子の軌道エネルギーについて。
軌道エネルギー＝Ａ÷距離として表現するとき、Ａを“見かけ上の出発した軌道エネルギー”と名づける。
その理由は、光子が太陽から惑星まで走る間にエネルギーを減少するからです。Ａにはその減少分も含まれているからです。
【請求項２】
惑星の軌道エネルギーは、惑星に届く光子１個のエネルギーの何倍か。
惑星の軌道エネルギーは、２．６５×１０１１Ｊ・Ｋｍ÷（距離×２）＝１．３２５×１０１１Ｊ・Ｋｍ÷距離、です。
惑星に届く光子１個のエネルギー＝ａＪ×２×１０８ｍ÷（走った距離×２）＝ａＪ×２×１０５Ｋｍ÷（距離×２）
（ａＪは太陽を出発する１個の電気の光子のエネルギーです。）
惑星の軌道エネルギーは、惑星に届く光子１個のエネルギーの何倍か。
２．６５×１０１１Ｊ・Ｋｍ÷（距離×２）÷｛ａＪ×２×１０５Ｋｍ÷（距離×２）｝＝１．３２５×１０６Ｊ÷ａＪ（倍）
ａＪ＝太陽を出発する電気の光子のエネルギー＝１０−３１Ｊを代入する。
１．３２５×１０６Ｊ÷ａＪ＝１．３２５×１０６Ｊ÷１０−３１Ｊ＝１．３２５×１０３７（倍）
惑星の軌道エネルギーは、惑星に届く光子１個の１．３２５×１０３７倍です。
【請求項３】
太陽の表面から放出する光子は何個か。太陽の表面積の原子の数はいくらか。
太陽の密度は１．４１です。１ｃｍ３は１．４１ｇです。
１ｃｍ３の原子数は、１．４１ｇ÷（１．６６×１０−２４ｇ）＝８．４９１×１０２３（個）です。
１ｃｍに（８．４９１×１０２３個）１／３＝９．４７×１０７個です。
１ｍに９．４７×１０９個です。
原子１個の大きさは、１ｍ÷（９．４７×１０９個）＝１．０５６×１０−１０ｍです。
太陽の中で、原子１個の平均の大きさは１．０５６×１０−１０ｍです。
約１０−１０ｍです。
太陽で、電子の公転軌道は１０−１０ｍとします。
太陽の半径に、原子の数は、
太陽の半径÷１０−１０ｍ＝６．９６×１０５＋３ｍ÷１０−１０ｍ＝６．９６×１０１８（個）です。
太陽の表面には、
４πｒ２＝４×３．１４×（６．９６×１０１８）２個＝６．０８４×１０３８個です。
太陽の表面の原子数は６．０８４×１０３８個です。
この事から理解できる事。
１．太陽の表面の原子の数は６．０８４×１０３８個で、太陽から、常に、６．０８４×１０３８個の光子が出発している。
２．惑星の軌道エネルギーは、惑星に届く光子１個のエネルギーの１．３２５×１０３７倍であり、この光子は、太陽の表面に存在する原子から放出されている。
３．太陽の表面に存在する６．０８４×１０３８個の水素は常に光子を放出している。１０−３１Ｊの光子を放出している。この光子が走って、惑星に届き、惑星の軌道エネルギーに成っている。
４．惑星の軌道エネルギー＝届く１個の光子のエネルギー×太陽の表面の原子数＝届く１個の光子のエネルギー×光子数＝届く１個の光子のエネルギー×１．３２５×１０３７個
但し、６．０８４×１０３８個を１．３２５×１０３７個とみなす。
５．惑星の軌道エネルギーは太陽が作る軌道エネルギーです。
６．惑星の軌道エネルギーは、太陽が作る電磁気のエネルギーです。
【請求項４】
１個の光子が走ってたどり着くエネルギーの式、ａＪ×２×１０８ｍ÷（走った距離×２）はどのように現されるか。太陽の場合はどうか。
ａＪは出発する１個の光子のエネルギーです。
光子が走ってたどり着くエネルギーの式＝ａＪ×２×１０８ｍ÷（走った距離×２）＝ａＪ×１０５Ｋｍ÷距離＝ａ×１０５Ｊ・Ｋｍ÷距離
太陽の場合は、ａＪ＝１０−３１Ｊですから、
太陽から１個の光子が走ってたどり着くエネルギーの式＝ａ×１０５Ｊ・Ｋｍ÷距離＝１０−３１Ｊ×１０５Ｋｍ÷距離＝１０−２６Ｊ・Ｋｍ÷距離、です。
【請求項５】
太陽から１個の光子が走ってたどり着くエネルギーの式は、太陽から出発する１個の光子の何倍か。
太陽から１個の光子が走ってたどり着くエネルギーの式＝１０−２６Ｊ・Ｋｍ÷距離、です。
太陽から出発する１個の光子のエネルギーは、１０−３１Ｊですから、
１０−２６Ｊ・Ｋｍ÷距離÷１０−３１Ｊ＝１０５Ｋｍ÷距離、倍です。
【請求項６】
惑星の軌道エネルギーの式はどうであるか。
惑星の軌道エネルギー＝太陽から出発した１個の光子が届くエネルギー×太陽から出発する光子の数＝１０−３１Ｊ×１０５Ｋｍ÷距離×１．３２５×１０３７個＝１０−２６Ｊ・Ｋｍ÷距離×１．３２５×１０３７個＝１．３２５×１０１１Ｊ・Ｋｍ÷距離
惑星の軌道エネルギーの式＝１．３２５×１０１１Ｊ・Ｋｍ÷距離
【請求項７】
太陽から出発した光子のヱネルギーはいくらか。
太陽から出発した光子のエネルギー＝太陽から出発した１個の光子のエネルギー×太陽から出発した光子の数＝１０−３１Ｊ×１．３２５×１０３７個＝１．３２５×１０６Ｊ、です。
【請求項８】
見かけ上の太陽から出発した光子の軌道エネルギーは、太陽から出発した光子のエネルギーの何倍か。この理由はなぜか。
見かけ上の太陽から出発した光子の軌道エネルギーは、１．３２５×１０１１Ｊ・Ｋｍです。
太陽から出発した光子のエネルギーは、１．３２５×１０６Ｊです。
見かけ上の太陽から出発した光子の軌道エネルギーは、太陽から出発した光子のエネルギーの、１．３２５×１０１１Ｊ・Ｋｍ÷（１．３２５×１０６Ｊ）＝１０５Ｋｍ
１０５Ｋｍ倍です。
この理由は、
太陽から出発した光子の数は同じです。
太陽から出発した１個の光子が届くエネルギーは、
光子が走ってたどり着く１個の光子のエネルギーの式＝ａＪ×２×１０８ｍ÷（走った距離×２）＝ａ×１０５Ｊ・Ｋｍ÷走った距離、です。
見かけ上の出発した１個の光子の軌道エネルギー＝Ａ−ａ×１０５Ｊ・ｋｍ
見かけ上の出発した１個の光子の軌道エネルギーは、ａＪの１０５Ｋｍ倍になっているからです。
見かけ上の出発した１個の光子の軌道エネルギーは、出発した１個の光子のエネルギーの１０５Ｋｍ倍になっているからです。
【請求項９】
太陽の引力はいくらか。惑星の軌道の引力はいくらか。
太陽の表面の原子の数と同じ数の光子が出発する。この光子は、太陽の表面の原子が作る光子です。原子の電子のラブが作る電気の光子と磁気の光子です。磁気の光子は引力になります。電気の光子は進む力になります。それで、太陽の表面から出る磁気の光子のエネルギーは太陽の引力になります。
軌道に届く磁気の光子のエネルギーは、軌道の引力になります。
太陽の引力は、
太陽から出発する磁気の光子の束のエネルギー×太陽の表面の原子数＝太陽から出発する１個の電気の光子のエネルギー×太陽の表面の原子数＝１０−３１Ｊ×１．３２５×１０３７個＝１．３２５×１０６Ｊ、です。
太陽の引力は、１．３２５×１０６Ｊです。
惑星の軌道の引力は、惑星の軌道の磁気の光子のエネルギーです。
このエネルギーは、電気の光子のエネルギーと同じです。
軌道のエネルギー＝１．３２５×１０１１Ｊ・Ｋｍ÷距離
惑星の軌道の引力は、１．３２５×１０１１Ｊ・Ｋｍ÷距離、です。
【請求項１０】
惑星の加速度は何によって作られるか。惑星の加速度はいくらか。
惑星の加速度は、惑星が存在する軌道の加速度です。
その軌道に存在する物体は、どのような質量でも同じ加速度を受けて、同じ加速度で進みます。
軌道の加速度を作るものは、軌道の電気の光子のエネルギーです。
軌道の加速度＝軌道の電気の光子のエネルギー
軌道の電気の光子のエネルギー＝軌道のエネルギー＝１．３２５×１０１１Ｊ・Ｋｍ÷距離
惑星の加速度＝惑星の軌道の加速度＝惑星の軌道の電気の光子のエネルギー＝１．３２５×１０１１Ｊ・Ｋｍ÷距離、です。
この事によって理解できること。
１．惑星の軌道エネルギーは、太陽から届く電気の光子と磁気の光子のエネルギーであり、電気の光子は加速度を作り、磁気の光子は引力を作る。
２．惑星の軌道のエネルギー＝惑星の軌道の電気の光子のエネルギー＝惑星の軌道の加速度＝惑星の軌道の磁気の光子のエネルギー＝惑星の軌道の引力
例えば、木星の場合。
木星の軌道のエネルギー＝軌道の加速度＝軌道の引力
木星の軌道のエネルギー＝１．３２５×１０１１Ｊ・Ｋｍ÷（７．７８３×１０８Ｋｍ）＝１．７０２×１０２Ｊ
木星の軌道のエネルギーは１．７０２×１０２Ｊで、木星の軌道の電気の光子のエネルギーは１．７０２×１０２Ｊで、木星の軌道の加速度は１．７０２×１０２Ｋｍ／ｓ２です。
木星の軌道のエネルギーは１．７０２×１０２Ｊで、木星の軌道の磁気の光子のエネルギーは１．７０２×１０２Ｊで、木星の軌道の引力は１．７０２×１０２Ｎ・ｍです。
【請求項１１】
軌道のエネルギーは電気の光子のエネルギーです。この電気の光子のエネルギーが加速度を作る。どれ位の電気の光子のエネルギーがどれ位の加速度を作るか。
エネルギーＪ＝速度２＝加速度Ｋｍ／ｓ２
よって、１Ｊの電気の光子のエネルギーが１Ｋｍ／ｓ２の加速度を作る。
【請求項１２】
軌道のエネルギーは磁気の光子のエネルギーです。この磁気の光子のエネルギーが引力を作る。どれ位の磁気の光子のエネルギーがどれ位の引力を作るか。
エネルギーＪ＝引力Ｎ・ｍ
よって、１Ｊの磁気の光子のエネルギーが１Ｎ・ｍの引力を作る。
【請求項１３】
惑星における▲１▼惑星に届く光子１個のエネルギー、▲２▼惑星に届く光子１．３×
2008193892.tif 000011
▲１▼惑星に届く光子１個のエネルギー＝１０−２６ＪＫｍ÷距離
▲２▼惑星に届く光子１．３２５×１０３７個のエネルギー＝１．３２５×１０３７個×惑星に届く光子１個のエネルギー
▲３▼惑星の軌道のエネルギー＝２．６５×１０１１ＪＫｍ÷（距離×２）＝１．３２５×１０１１ＪＫｍ÷距離
水星。
▲１▼１０−２６ＪＫｍ÷（０．５７９×１０８Ｋｍ）＝１．７２７×１０−３４Ｊ
▲２▼１．３２５×１０３７個×１．７２７×１０−３４Ｊ＝２．２８８×１０３Ｊ
▲３▼１．３２５×１０１１ＪＫｍ÷距離＝１．３２５×１０１１ＪＫｍ÷（０．５７９×１０８Ｋｍ）＝２．２８８×１０３Ｊ
▲４▼速度２＝（４７．３６Ｋｍ／ｓ）２＝２．２４３×１０３Ｋｍ／ｓ２
金星。
▲１▼１０−２６ＪＫｍ÷（１．０８２×１０８Ｋｍ）＝９．７２８×１０−３５Ｊ
▲２▼１．３２５×１０３７個×９．７２８×１０−３５Ｊ＝１．２８９×１０３Ｊ
▲３▼１．３２５×１０１１ＪＫｍ÷（１．０８２×１０８Ｋｍ）＝１．２２４×１０３Ｊ
▲４▼速度２＝（３５．０２Ｋｍ／ｓ）２＝１．２２６×１０３Ｋｍ／ｓ２
地球。
▲１▼１０−２６ＪＫｍ÷（１．４９６×１０８Ｋｍ）＝６．６８４×１０−３５Ｊ
▲２▼１．３２５×１０３７個×６．６８４×１０−３５Ｊ＝８．８５６×１０２Ｊ
▲３▼１．３２５×１０１１ＪＫｍ÷（１．４９６×１０８Ｋｍ）＝８．８５７×１０２Ｊ
▲４▼速度２＝（２９．７８Ｋｍ／ｓ）２＝８．８６８×１０２Ｋｍ／ｓ２
火星。
▲１▼１０−２６ＪＫｍ÷（２．２７９×１０８Ｋｍ）＝４．３８８×１０−３５Ｊ
▲２▼１．３２５×１０３７個×４．３８８×１０−３５Ｊ＝５．８１４×１０２Ｊ
▲３▼１．３２５×１０１１ＪＫｍ÷（２．２７９×１０８Ｋｍ）＝５．８１４×１０２Ｊ
▲４▼速度２＝（２４．０８Ｋｍ／ｓ）２＝５．７９８×１０２Ｋｍ／ｓ２
木星。
▲１▼１０−２６ＪＫｍ÷（７．７８３×１０８Ｋｍ）＝１．２８５×１０−３５Ｊ
▲２▼１．３２５×１０３７個×１．２８５×１０−３５Ｊ＝１．７０３×１０２Ｊ
▲３▼１．３２５×１０１１ＪＫｍ÷（７．７８３×１０８Ｋｍ）＝１．７０２×１０２Ｊ
▲４▼速度２＝（１３．０６Ｋｍ／ｓ）２＝１．７０６×１０２Ｋｍ／ｓ２
土星。
▲１▼１０−２６ＪＫｍ÷（１４．２９４×１０８Ｋｍ）＝６．９９６×１０−３６Ｊ
▲２▼１．３２５×１０３７個×６．９９６×１０−３６Ｊ＝９．２７０×１０Ｊ
▲３▼１．３２５×１０１１ＪＫｍ÷（１４．２９４×１０８Ｋｍ）＝９．２７０×１０Ｊ
▲４▼速度２＝（９．６５Ｋｍ／ｓ）２＝９．３１２×１０Ｋｍ／ｓ２
天王星。
▲１▼１０−２６ＪＫｍ÷（２８．７５０×１０８Ｋｍ）＝３．４７８×１０−３６Ｊ
▲２▼１．３２５×１０３７個×３．４７８×１０−３６Ｊ＝４．６０８×１０Ｊ
▲３▼１．３２５×１０１１ＪＫｍ÷（２８．７５０×１０８Ｋｍ）＝４．６０９×１０Ｊ
▲４▼速度２＝（６．８１Ｋｍ／ｓ）２＝４．６３８×１０Ｋｍｍ／ｓ２
海王星。
▲１▼１０−２６ＪＫｍ÷（４５．０４４×１０８Ｋｍ）＝２．２２０×１０−３６Ｊ
▲２▼１．３２５×１０３７個×２．２２０×１０−３６Ｊ＝２．９４２×１０Ｊ
▲３▼１．３２５×１０１１ＪＫｍ÷（４５．０４４×１０８Ｋｍ）＝２．９４２×１０Ｊ
▲４▼速度２＝（５．４４Ｋｍ／ｓ）２＝２．９５９×１０Ｋｍ／ｓ２
まとめて表に示す。
2008193892.tif 000012
2008193892.tif 000013
【請求項１４】
軌道のエネルギーの値＝速度２＝加速度Ｋｍ／ｓ２＝太陽から届く電気の光子のエネルギー＝太陽から届く磁気の光子のエネルギー、この事から理解できる事は何か。
１．速度２の単位は、Ｋｍ／ｓ２であり、これは加速度Ｋｍ／ｓ２です。
２．惑星の軌道のエネルギーは、太陽から出発した電気の光子と磁気の光子が軌道に届くエネルギーです。
３．惑星の軌道のエネルギーは、磁気の光子のエネルギーで、引力は磁気の光子のエネルギーですから、惑星の軌道の磁気の光子のエネルギーは引力になります。
４．惑星の軌道のエネルギーは、電気の光子が走るエネルギーですから、電気の光子のエネルギーは、加速度になります。
５．水素が１秒間に作る電気の光子のエネルギー＝水素が１秒間に作る磁気の光子のエネルギーですから、太陽から、磁気の光子も１束で、１０−３１Ｊで出発します。
６．惑星の軌道のエネルギー＝電磁気のエネルギー＝引力Ｎ・ｍ＝速度２＝加速度Ｋｍ／ｓ２です。
７．惑星の軌道の電気の光子のエネルギー１Ｊで１Ｋｍ／ｓ２の加速度になる。
８．惑星の軌道の磁気の光子のエネルギー１Ｊで１Ｎ・ｍの引力になる。
【請求項１５】
太陽系の秒速が銀河の中心のブラックホールで作られるとした場合、太陽系の公転速度はいくらか。銀河系の中心から太陽系に届く光子１個のエネルギーはいくらか。
銀河系の中心から太陽系に届く光子の数はいくらか。軌道エネルギーの式はどのようであるか。銀河系の中心のブラックホールの半径に、何個の電子のラブが存在するか。ブラックホールの半径はいくらか。ブラックホールの質量は太陽質量の何倍であるか。
・太陽系の公転速度はいくらか。
太陽は、銀河系の中心を２億年で１週する。
１週するのにかかる秒数＝２×１０８×３６５×２４×６０×６０＝６．３０７×１０１５（秒）
太陽は、太陽系の中心から２．８万光年離れている。
１週する距離＝２π×２．８×１０４×３×１０５Ｋｍ×３６５×２４×６０×６０＝１．６６４×１０１８Ｋｍ
太陽が銀河系の中心を回転する秒速は、
１週する距離÷１週するのにかかる秒数＝１．６６４×１０１８Ｋｍ÷（６．３０７×１０１５秒）＝２．６３８×１０２Ｋｍ
太陽は秒速２６３．８Ｋｍで公転している。
・銀河系の中心から太陽系に届く光子１個のエネルギーはいくらか。
銀河系の中心はブラックホールです。
ブラックホールの電子のラブの公転軌道は、１０−１６ｍですから、光子の軌道も１０−１６ｍです。
光子１個のエネルギーは、１０−４１Ｊｍ÷１０−１６ｍ＝１０−２５Ｊです。
ブラックホールから出発する光子１個のエネルギーは１０−２５Ｊです。
太陽系に届く光子１個のエネルギーは、
１０−２５Ｊ×２×１０５Ｋｍ÷（２．６４９×１０１７Ｋｍ×２）＝３．７７５×１０−３８Ｊです。
ブラックホールから太陽系に届く光子１個のエネルギーは、３．７７５×１０−３８Ｊです。
・銀河系の中心（ブラックホール）から太陽系に届く光子の数はいくらか。
ブラックホールから太陽系に届く光子の数をｘ個とする。
光子の数×太陽系に届く光子１個のエネルギー＝太陽系の軌道のエネルギー＝速度２
ｘ個×３．７７５×１０−３８Ｊ＝２６３．８２
ｘ個＝６．９５９×１０４÷（３．７７５×１０−３８Ｊ）＝１．８４３×１０４２
銀河系の中心（ブラックホール）から太陽系に届く光子の数は、１．８４３×１０４２個です。
・ブラックホールが作る軌道エネルギーの式はどのようであるか。
ブラックホールが作る軌道エネルギー＝光子の数×届く１個の光子のエネルギー＝１．８４３×１０４２個×１０−２５Ｊ×１０５Ｋｍ÷距離＝１．８４３×１０２２Ｊ・Ｋｍ÷距離
ブラックホールが作る軌道エネルギーの式は、１．８４３×１０２２Ｊ・Ｋｍ÷距離です。
・銀河系の中心のブラックホールの半径に、何個の原子のラブが存在するか。
銀河系の中心のブラックホールの半径にｙ個の原子のラブが存在するとする。
４πｙ２個＝ブラックホールの表面の原子数＝太陽系に届く光子の数＝１．８４３×１０４２個
ｙ２個＝１．８４３×１０４２÷３．１４÷４＝１．４６８×１０４１個
ｙ個＝３．８３１×１０２０個
銀河系の中心のブラックホールの半径に、３．８３１×１０２０個の電子のラブが存在する。
・ブラックホールの半径はいくらか。
１個の電子のラブの公転軌道は１０−１６ｍですから、原子が３．８３１×１０２０個並んでいる距離は、
３．８３１×１０２０個×１０−１６ｍ＝３．８３１×１０４ｍ＝３．８３１×１０Ｋｍです。
ブラックホールの半径は、３．８３１×１０Ｋｍです。
・ブラックホールの質量は太陽質量の何倍であるか。
半径に、３．８３１×１０２０個並んでいるから、球体には、
４π÷３×（３．８３１×１０２０個）３個＝４π÷３×５６．２２６×１０６０個＝２．３５４×１０６２個存在する。
この原子数は、太陽の質量の何倍か。
２．３５４×１０６２個÷太陽の質量の原子数＝２．３５４×１０６２個÷（６×１０２６×１．９８９×１０３０Ｋｇ）＝１．９７３×１０５（倍）
ブラックホールの質量は太陽質量の１．９７３×１０５倍です。
即ち、太陽系の公転速度は、２６３．８Ｋｍです。この速度を作る銀河系の中心のブラックホールの質量は、太陽質量の１．９７３×１０５倍です。
【請求項１６】
銀河系の中心のブラックホールの質量が太陽の質量の１０６倍としたら、ブラックホールの半径はいくらか。ブラックホールの表面の原子数はいくらか。ブラックホールが作る軌道エネルギーの式はどのようであるか。太陽系の速度はいくらか。
・ブラックホールの半径はいくらか。
銀河系の中心のブラックホールの質量は、太陽の質量の１０６倍であるとすると、原子数は、１０６×１Ｋｇの原子数×太陽の質量＝１０６×６×１０２６個×１．９８９×１０３０Ｋｇ＝１．１９３４×１０６３個です。
半径に何個の原子が存在するか。
半径にｘ個存在するとする。
４π÷３×ｘ３＝１．１９３４×１０６３個
ｘ３＝２８５×１０６０個
ｘ＝６．５８×１０２０個
半径に６．５８×１０２０個の原子が存在する。
原子の大きさは、１０−１６ｍですから、
６．５８×１０２０個×１０−１６ｍ＝６．５８×１０４ｍ＝６．５８×１０Ｋｍです。
ブラックホールの半径は６．５８×１０Ｋｍです。
・ブラックホールの表面の原子数はいくらか。
半径に６．５８×１０２０個の原子が存在するので、表面には、
４π×（６．５８×１０２０個）２＝５．４３８×１０４２個存在する。
ブラックホールの表面の原子数は５．４３８×１０４２個です。
・ブラックホールが作る軌道エネルギーの式はどのようであるか。
ブラックホールが作る軌道エネルギー＝ブラックホールの表面の原子数×届く光子１個のエネルギー＝５．４３８×１０４２個×１０−２５Ｊ×１０５Ｋｍ÷距離＝５．４３８×１０２２Ｊ・Ｋｍ÷距離
ブラックホールが作る軌道エネルギーの式は、５．４３８×１０２２Ｊ・Ｋｍ÷距離です。
・太陽系の速度はいくらか。
速度２＝太陽系の軌道のエネルギー＝５．４３８×１０２２Ｊ・Ｋｍ÷距離＝５．４３８×１０２２Ｊ・Ｋｍ÷（２．６４９×１０１７Ｋｍ）＝２．０５３×１０５Ｊ
速度２＝２．０５３×１０５
速度＝４．５３１×１０２
太陽系の速度は４．５３１×１０２Ｋｍです。
この事から理解できる事。
１．銀河系においても、太陽系と同じように、
星の軌道エネルギー＝銀河の中心のブラックホールから届く電磁気のエネルギー＝ブラックホールから出発した１個の光子が届くエネルギー×ブラックホールの表面から出発する光子の数＝ブラックホールから出発した１個の光子が届くエネルギー×ブラックホールの表面の原子数、です。
３．銀河系の中心のブラックホールの質量が太陽の質量の１０６倍の場合、ブラックホールの大きさは半径６．５８×１０Ｋｍです。ブラックホールの表面の原子数は、５．４３８×１０４２個です。軌道エネルギーの式は、５．４３８×１０２２Ｊ・Ｋｍ÷距離です。太陽系の速度は、秒速４５３Ｋｍです。
４．銀河系の中心のブラックホールの質量が太陽の質量の１．９７３×１０５倍の場合、ブラックホールの大きさは半径３．８３１×１０Ｋｍです。ブラックホールの表面の原子数は、１．８４３×１０４２個です。軌道エネルギーの式は、１．８４３×１０２２Ｊ・Ｋｍ÷距離です。太陽系の速度は、秒速２６３．８Ｋｍです。
４．ブラックホールの表面から放出する光子が、銀河系の隅々まで届く。そして、届いた軌道の距離によって、光子１個のエネルギーは異なる。
５．ブラックホールが作る軌道エネルギーの式は、ブラックホールの質量により異なる。
６．星の速度は、ブラックホールからの距離と、ブラックホールの質量によって決定される。
７．銀河系の中心のブラックホールの質量は、太陽質量の数百万倍であるから、太陽系が銀河系の中心を回転する速度は、４５３Ｋｍ以上である。
それで、太陽系の速度は銀河の中心のブラックホールが作ったものではない。
【請求項１７】
銀河の中心のブラックホールの質量が太陽質量の１０ｎ倍の場合の一般式を求める。ブラックホールの半径に何個の原子が存在するか。ブラックホールの半径はいくらか。ブラックホールの表面に存在する原子数はいくらか。届く１個の光子のエネルギーはいくらか。星の軌道エネルギーの式はいくらか。星が存在する軌道の速度（星の速度）はいくらか。
・ブラックホールの半径に何個の原子が存在するか。
ブラックホールの原子数は、
１０ｎ×６×１０２６個×１．９８９×１０３０Ｋｇ＝１．１９３×１０ｎ＋５７個です。
半径にｘ個の原子が存在するとする。
４π÷３×ｘ３＝１．１９３×１０ｎ＋５７個
ｘ３＝１．１９３×３÷４π×１０ｎ＋５７個
ｘ３＝２８５×１０ｎ＋５４個
ｘ＝（２８５×１０ｎ＋５４個）１／３＝６．５８×１０１８×１０ｎ／３個
ブラックホールの半径に、６．５８×１０１８×１０ｎ／３個の原子が存在する。
・ブラックホールの半径はいくらか。
ブラックホールの半径＝原子１個の大きさ×半径の原子数＝１０−１６ｍ×６．５８×１０１８×１０ｎ／３個＝６．５８×１０２＋ｎ／３ｍ＝０．６５８×１０ｎ／３Ｋｍ
ブラックホールの半径は、０．６５８×１０ｎ／３Ｋｍです。
・ブラックホールの表面に存在する原子数はいくらか。
４π×（６．５８×１０１８×１０ｎ／３個）２＝５．４３８×１０３８×１０２ｎ／３個
ブラックホールの表面に存在する原子数は、５．４３８×１０３８×１０２ｎ／３個です。
・届く１個の光子のエネルギーはいくらか。
ブラックホールから出発する１個の光子のエネルギーは、１０−２５Ｊですから、届く１個の光子のエネルギーは、
１０−２５Ｊ×２×１０５Ｋｍ÷（距離×２）＝１０−２０ＪＫｍ÷距離です。
届く１個の光子のエネルギーは、１０−２０ＪＫｍ÷距離です。
・星の軌道エネルギーの式はいくらか。
星の軌道エネルギー＝光子の数×届く１個の光子のエネルギー＝ブラックホールの表面に存在する原子数×届く１個の光子のエネルギー＝５．４７１×１０３８×１０２ｎ／３個×１０−２０Ｊ・Ｋｍ÷距離＝５．４７１×１０１８＋２ｎ／３Ｊ・Ｋｍ÷距離
星の軌道エネルギーの式は、５．４７１×１０１８＋２ｎ／３ＪＫｍ÷距離です。
・星が存在する軌道の速度（星の速度）はいくらか。
速度２＝軌道のエネルギー＝５．４７１×１０１８＋２ｎ／３ＪＫｍ÷距離
速度＝（５．４７１×１０１８＋２ｎ／３ＪＫｍ÷距離）１／２
【請求項１８】
月の軌道エネルギーの式はどのようであるか。月の軌道のエネルギーはいくらか。月の速度はいくらか。
地球の密度は５．５２です。１ｃｍ３は５．５２ｇです。
１ｃｍ３の原子数は、５．５２ｇ÷（１．６６×１０−２４ｇ）＝３．３２４×１０２４個です。
１ｃｍに、（３．３２４×１０２４）１／３＝１．４９３×１０８個です。
１ｍに、１．４９３×１０１０個です。
１個の原子の大きさは、１ｍ÷（１．４９３×１０１０個）＝６．６９８×１０−１１ｍです。
それで、地球の中の原子の大きさの平均を７×１０−１１ｍとする。
地球の半径の原子数は、
６．３７８×１０６ｍ÷（７×１０−１１ｍ）＝９．１１１×１０１６個です。
地球の表面の原子数は、
４π×（９．１１１×１０１６）２＝４×３．１４×（９．１１１×１０１６個）２＝１．０４３×１０３５個です。
この原子から光子が常に放出している。
地球発の光子は青色とする。
青色の波長は、４．５×１０−７ｍですから、軌道は、４．５×１０−７ｍ÷２＝２．２５×１０−７ｍです。
エネルギーは、１０−４１Ｊｍ÷（２．２５×１０−７ｍ）＝４．４４４×１０−３５Ｊです。
届く光子のエネルギーは、４．４４４×１０−３５Ｊ×１０５Ｋｍ÷距離＝４．４４４×１０−３０Ｊ・Ｋｍ÷距離です。
月の軌道エネルギーの式は、
月の軌道エネルギー＝光子の数×届く１個の光子のエネルギー＝地球の表面の原子数×届く１個の光子のエネルギー＝１．０４３×１０３５個×４．４４４×１０−３０Ｊ・Ｋｍ÷距離＝４．６３５×１０５Ｊ・Ｋｍ÷距離です。
月の軌道エネルギーの式は４．６３５×１０５Ｊ・Ｋｍ÷距離です。
・月の軌道のエネルギーはいくらか。
月の軌道のエネルギーは、月の距離は３．８２２×１０５Ｋｍですから、
４．６３５×１０５Ｊ・Ｋｍ÷距離＝４．６３５×１０５Ｊ・Ｋｍ÷（３．８２２×１０５Ｋｍ）＝１．２Ｊです。
月の軌道のエネルギーは、１．２Ｊです。
・月の速度はいくらか。
速度２＝１．２
速度＝１．１（Ｋｍ）
月の速度は、秒速１．１Ｋｍです。
確かめます。
月が１週する距離は、２πｒ＝２×３．１４×３．８２２×１０５Ｋｍ＝２．４×１０６Ｋｍ、です。
２７．３２２日で１週するので、１週する距離は、
１週する距離＝秒速×時間（秒）＝１．１Ｋｍ×２７．３２２×２４×６０×６０＝２．５９６×１０６Ｋｍ、です。
まとめて表に示す。
2008193892.tif 000014
2008193892.tif 000015
【請求項１９】
出発する引力と、見かけ上の引力と、軌道の引力。
・太陽の場合。
太陽から出発する磁気の光子のエネルギー＝出発する磁気の光子１束のエネルギー×太陽の表面の原子数＝１０−３１Ｊ×１．３２５×１０３７個＝１．３２５×１０６Ｊ
見かけ上の太陽から出発する磁気の光子の軌道エネルギー＝届く磁気の光子１束のエネルギー×太陽の表面の原子数＝１０−３１Ｊ×１０５Ｋｍ×１．３２５×１０３７個＝１．３２５×１０１１Ｊ・Ｋｍ
軌道の引力＝届く磁気の光子１束のエネルギー×太陽の表面の原子数＝１０−３１Ｊ×１０５Ｋｍ÷距離×１．３２５×１０３７個＝１．３２５×１０１１Ｊ・Ｋｍ÷距離
・銀河の場合。
ブラックホールの質量が太陽質量の１０ｎ倍の場合。
ブラックホールから出発する磁気の光子のエネルギー＝出発する磁気の光子１束のエネルギー×ブラックホールの表面の原子数＝１０−２５Ｊ×５．４３８×１０３８＋２ｎ／３個＝５．４３８×１０１３＋２ｎ／３Ｊ
見かけ上の太陽から出発する磁気の光子の軌道エネルギー＝届く磁気の光子１束のエネルギー×太陽の表面の原子数＝１０−２５Ｊ×１０５Ｋｍ×５．４３８×１０３８＋２ｎ／３個＝５．４３８×１０１８＋２ｎ／３Ｊ・Ｋｍ
軌道の引力＝届く磁気の光子１束のエネルギー×太陽の表面の原子数＝１０−２５Ｊ×１０５Ｋｍ÷距離×５．４３８×１０３８＋２ｎ／３個＝５．４３８×１０１８＋２ｎ／３Ｊ・Ｋｍ÷距離
・地球の場合。
地球から出発する磁気の光子のエネルギー＝出発する磁気の光子１束のエネルギー×地球の表面の原子数＝４．４４４×１０−３５Ｊ×１．０４３×１０３５個＝４．６３５Ｊ
見かけ上の地球から出発する磁気の光子の軌道エネルギー＝届く磁気の光子１束のエネルギー×地球の表面の原子数＝４．４４４×１０−３５Ｊ×１０５Ｋｍ×１．０４３×１０３５個＝４．６３５×１０５Ｊ・Ｋｍ
軌道の引力＝届く磁気の光子１束のエネルギー×太陽の表面の原子数＝４．４４４×１０−３５Ｊ×１０５Ｋｍ÷距離×１．０４３×１０３５個＝４．６３５×１０５Ｊ・Ｋｍ÷距離
この事により理解できたこと。
１．太陽や銀河の中心や地球から出発する磁気の光子は、太陽や銀河の中心や地球から出る引力である。
２．見かけ上の太陽から出発する磁気の光子と電気の光子、見かけ上の銀河の中心から出発する磁気の光子と電気の光子、見かけ上の地球から出発する磁気の光子と電気の光子は、×１０５Ｋｍになるので、出発する磁気の光子と電気の光子の１０５倍の軌道エネルギーである。
まとめて表に記す。
１束の磁気の光子のエネルギー＝１個の電気の光子のエネルギーなので、電気の光子の場合も同じです。
2008193892.tif 000016
【請求項２０】
公転は腕の螺旋回転によってできる。
・太陽系の軌道は２．８万光年で、２億年で１公転します。この秒速はいくらか。
秒速＝１周囲した距離÷１週に要した秒数＝２π×２．８×１０４×９．４６×１０１２Ｋｍ÷（２×１０８×３６５×２４×６０×６０秒）＝２．６３７×１０２Ｋｍ
１秒間に２．６３７×１０２Ｋｍ進む。この速度は一定です。
・太陽系は２００万年で、腕を１週する。この理由は、地磁気は１００万年で北極と南極が入れ替わるからです。
・太陽系は２００万年で、何Ｋｍ進むか。
２００万年の秒数×秒速＝２×１０６×３６５×２４×６０×６０秒×２．６３７×１０２Ｋｍ＝１．６６３×１０８Ｋｍ進む。
・太陽系が属する腕の半径は、２５００光年です。２００万年で１回転します。
半径＝２５００×９．４６×１０１２Ｋｍ＝２．３６５×１０１６Ｋｍ
・太陽系が螺旋回転する秒速はいくらか。
秒速＝腕の円周÷２００万年（秒）＝２×３．１４×２．３６５×１０１６Ｋｍ÷（２×１０６×３６５×２４×６０×６０秒）＝２．３５４×１０３Ｋｍ
太陽系は、腕の中心を秒速２．３５４×１０３Ｋｍで螺旋回転し、銀河系の中心のブラックホールを中心に秒速２６３．８Ｋｍで公転する。
【請求項２１】
銀河系の腕を３種類に分類する。
小さな腕と、中位の腕と、大きな腕に分類する。
小さな腕の半径を２万光年、中ぐらいの腕の半径を３万光年、大きな腕の半径を４万光年とする。
腕の形を変えずに回転するためには、腕の速度は、半径に比例しなければならない。
小さい腕の速度：中位の腕の速度：大きな腕の速度＝２：３：４
腕の軌道エネルギーは、軌道エネルギー＝速度２×半径  ですから、
腕の軌道エネルギーの比は、
小さな腕の軌道エネルギー：中位の腕の軌道エネルギー：大きな腕の軌道エネルギー＝２２×２：３２×３：４２×４＝８：２７：６４  です。
中位の腕の進む速度は、２６３．７Ｋｍです。この理由は、太陽系は中位の腕の１つの星で、速度は２６３．７Ｋｍであるからです。
小さい腕の速度は、２６３．７Ｋｍ×２／３＝１７５．８Ｋｍです。
大きな腕の速度は、２６３．７Ｋｍ×４／３＝３５１．６Ｋｍです。
腕のエネルギーは、速度２ですから、
小さな腕のエネルギー＝（１７５．８Ｋｍ）２＝３．０９１×１０４Ｊ
中位の腕のエネルギー＝（２６３．７Ｋｍ）２＝６．９５４×１０４Ｊ
大きな腕のエネルギー＝（３５１．６Ｋｍ）２＝１．２３６×１０５Ｊです。
このエネルギーを作るためには、腕の中心のブラックホールの軌道エネルギーはいくらでなければならないか。
腕の半径＝２５００光年＝２．３６５×１０１６Ｋｍ
軌道エネルギー＝エネルギー×半径
小さい腕の軌道エネルギー＝３．０９１×１０４Ｊ×２．３６５×１０１６Ｋｍ＝７．３１０×１０２０Ｊ・Ｋｍ
中位の腕の軌道エネルギー＝６．９５４×１０４Ｊ×２．３６５×１０１６Ｋｍ＝１．６４５×１０２１Ｊ・Ｋｍ
大きな腕の軌道エネルギー＝１．２３６×１０５Ｊ×２．３６５×１０１６Ｋｍ＝２．９２３×１０２１Ｊ・Ｋｍです。
中位の腕は、２００万年で螺旋状に１回転し、１．６６×１０８Ｋｍ進みます。
螺旋回転する速度は、
１回転の距離÷２００万年（秒）＝腕の円周÷２００万年（秒）＝２×３．１４×２．３６５×１０１６Ｋｍ÷（２×１０６×３６５×２４×６０×６０秒）＝２３５４Ｋｍです。
中位の腕は、１秒間に２３５４Ｋｍ螺旋回転し、２６３．７Ｋｍ進む。
進む方向に２６３．７Ｋｍ÷２３５４Ｋｍ＝０．１１２
螺旋状に走り、約１／１０公転する方向に進む。
中位の腕は、１秒間に２３５４Ｋｍ螺旋回転し、２６３．７Ｋｍ進むので、
小さい腕は、１秒間に１７５．８Ｋｍ進むためには、２３５４Ｋｍ×１７５．８÷２６３．７＝１５６９．３Ｋｍ螺旋回転するとよい。
小さい腕が螺旋回転する速度は、１５６９．３Ｋｍです。
大きい腕は、１秒間に３５１．６Ｋｍ進むためには、２３５４Ｋｍ×３５１．６÷２６３．７＝３１３８．７Ｋｍ螺旋回転するとよい。
大きい腕が螺旋回転する速度は、３１３８．７Ｋｍです。
小さい腕が螺旋回転し、進む距離の割合は、
１７５．８÷１５６９．３＝０．１１２です。
大きい腕が螺旋回転し、進む距離の割合は、
３５１．６÷３１３８．７＝０．１１２です。
螺旋回転の０．１１２は進行方向に向かって走る。
これをまとめ表に示す。
2008193892.tif 000017
【請求項２２】
公転の秒速２（加速度）と軌道のエネルギーの関係はどのように成っているのか。
螺旋回転の秒速２（加速度）と軌道エネルギーの関係はどのようになっているか。どうしてそのように成っているのかその理由は何か。
但し、太陽系や星が腕の中心のブラックホールを中心に回転することを螺旋回転、太陽系や星が螺旋回転しながら、銀河の中心のブラックホールを中心に回転することを公転とする。
秒速と軌道エネルギーの関係は、本来、軌道エネルギー＝速度２×半径です。
この値は、
小さい腕の軌道エネルギー＝（１５６９Ｋｍ）２×２．３６５×１０１６Ｋｍ＝５．８２２×１０２２Ｊ・Ｋｍ
中位の腕の軌道エネルギー＝（２３５４Ｋｍ）２×２．３６５×１０１６Ｋｍ＝１．３１１×１０２３Ｊ・Ｋｍ
大きい腕の軌道エネルギー＝（３１３８．７Ｋｍ）２×２．３６５×１０１６Ｋｍ＝２．３３０×１０２３Ｊ・Ｋｍです。
私が求めた、腕の軌道エネルギーはこの値の何倍か。
小さい腕、７．３１０×１０２０Ｊ・Ｋｍ÷（５．８２２×１０２２Ｊ・Ｋｍ）＝１．２５６×１０−２倍になっている。
中位の腕、１．６４５×１０２１Ｊ・Ｋｍ÷（１．３１１×１０２３Ｊ・Ｋｍ）＝１．２５５×１０−２倍になっている。
大きい腕、２．９２３×１０２１Ｊ・Ｋｍ÷（２．３３０×１０２３Ｊ・Ｋｍ）＝１．２５５×１０−２倍になっている。
この事は、腕の螺旋回転は、１．２５５×１０−２倍のエネルギーで回転できる事を示す。
この理由は、単位で考える。
速度２＝（Ｋｍ／ｓ）２＝Ｋｍ／ｓ２＝加速度
加速度が大きいからです。
速度２の比較。
螺旋回転の速度２は公転速度２の何倍か。螺旋回転の加速度は、公転の加速度の何倍か。
小さい腕は、（１５６９Ｋｍ／ｓ）２÷（１７５．８Ｋｍ／ｓ）２＝２．４６２×１０６÷（３．０９１×１０４）＝７９．６５倍。
中位の腕は、（２３５４Ｋｍ／ｓ）２÷（２６３．７Ｋｍ／ｓ）２＝５．５４１×１０６÷（６．９５４×１０４）＝７９．６８倍。
大きい腕は、（３１３８．７Ｋｍ／ｓ）２÷（３５１．６Ｋｍ／ｓ）２＝９．８５１×１０６÷（１．２３６×１０５）＝７９．７０倍。
螺旋回転の加速度は、公転の加速度の７９．６８倍です。
加速度が大きいので軌道のエネルギーは１．２５６×１０−２倍でよい。
腕の軌道エネルギーが従来の速度２×半径の１．２５６×１０−２倍でよい理由は、加速度が７９．６８倍であるからです。
この事によって理解できたこと。
軌道のエネルギー＝速度２＝加速度、であるのは、公転軌道の場合であり、螺旋軌道の場合は軌道のエネルギー×７９．６８＝速度２＝加速度、である。
【請求項２３】
公転する加速度÷軌道のエネルギー、の値はどのようであるか。螺旋回転する加速度÷軌道のエネルギー、の値はどうであるか。
・公転する加速度÷軌道のエネルギーの値はどのようであるか。
小さい腕、１７５．８２Ｋｍ÷（３．０９１×１０４Ｊ）＝１
中位の腕、２６３．７２Ｋｍ÷（６．９５４×１０４Ｊ）＝１
大きい腕、３５１．６２Ｋｍ÷（１．２３６×１０５Ｊ）＝１
・螺旋回転する加速度÷軌道のエネルギーの値はどうであるか。
小さい腕、１５６９．３２Ｋｍ÷（３．０９１×１０４Ｊ）＝７９．６５
中位の腕、２３５４２Ｋｍ÷（６．９５４×１０４Ｊ）＝７９．６８
大きい腕、３１３８．７２Ｋｍ÷（１．２３６×１０５Ｊ）＝７９．７
この事から理解できること。
１．公転の場合、軌道のエネルギーは加速度に変換される。
２．螺旋回転の場合、軌道エネルギーの７９．７倍が加速度に変換される。
３．螺旋回転の加速度は、軌道のエネルギーの７９．７分の１でできる。
４．螺旋回転の加速度は、公転の加速度の７９．７倍です。
５．螺旋回転を作るエネルギーは、公転を作るエネルギーの７９．７分の１です。
６．公転を作るエネルギーは、螺旋回転を作るエネルギーの７９．７倍です。
７．同じ軌道で、同じエネルギーの軌道では、螺旋回転の加速度は、公転軌道の加速度の７９．７倍です。
８．今まで考えてきた、軌道のエネルギー＝速度２＝加速度の式は、公転の場合の式です。
９．螺旋回転の場合の式は、
軌道のエネルギー＝速度２÷７９．７＝加速度÷７９．７
速度２＝加速度＝軌道のエネルギー×７９．７、です。
１０．螺旋回転のエネルギー消費量は、公転のエネルギー消費量の７９．７分の１です。
１１．螺旋回転のエネルギー消費効率は公転の７９．７倍です。
【請求項２４】
公転では、１Ｊのエネルギーが１Ｋｍ／ｓ２の加速度を作る。螺旋回転では、１Ｊのエネルギーはどれだけの加速度を作るか。
・螺旋回転する加速度÷軌道のエネルギーの値はどうであるか。
小さい腕、１５６９．３２Ｋｍ÷（３．０９１×１０４Ｊ）＝７９．６５
中位の腕、２３５４２Ｋｍ÷（６．９５４×１０４Ｊ）＝７９．６８
大きい腕、３１３８．７２Ｋｍ÷（１．２３６×１０５Ｊ）＝７９．７
この事から、螺旋回転のとき、１Ｊのエネルギーは、７９．７Ｋｍ／ｓ２の加速度を作る。
螺旋回転させるために、軌道の１Ｊのエネルギーは、７９．７Ｋｍ／ｓ２の加速度を作る。
軌道の１Ｊのエネルギーは、７９．７Ｋｍ／ｓ２の螺旋回転の加速度を作る。
まとめて表に示す。
2008193892.tif 000018
2008193892.tif 000019
【請求項２５】
腕の中心に太陽質量の何倍のブラックホールが存在するか。
・ブラックホールの表面の原子数。
軌道エネルギー＝表面の原子数×届く光子１個のエネルギー
表面の原子数＝軌道エネルギー÷届く光子１個のエネルギー＝軌道エネルギー÷１０−２０Ｊ
この式から、
小さな腕のブラックホールの表面の原子数＝７．３１０×１０２０Ｊ・Ｋｍ÷１０−２０Ｊ＝７．３１×１０４０個
中位の腕のブラックホールの表面の原子数＝１．６４５×１０２１Ｊ・Ｋｍ÷１０−２０Ｊ＝１．６４５×１０４１個
大きな腕のブラックホールの表面の原子数＝２．９２３×１０２１Ｊ・Ｋｍ÷１０−２０Ｊ＝２．９２３×１０４１個
・ブラックホールの半径に存在する原子数。
表面の原子数＝４πｒ２ですから、ｒはいくらか。
小さな腕、４πｒ２＝７．３１×１０４０個  ｒ２＝７．３１×１０４０個÷４÷３．１４＝０．５８２×１０４０個
ｒ＝０．７６３×１０２０個
中位の腕、４πｒ２＝１．６４５×１０４１個  ｒ２＝１６．４５×１０４０個÷４÷３．１４＝１．３１０×１０４０個
ｒ＝１．１４４×１０２０個
大きな腕、４πｒ２＝２．９２３×１０４１個  ｒ２＝２９．２３×１０４０個÷４÷３．１４＝２．３２７×１０４０個
ｒ＝１．５２６×１０２０個
・ブラックホールの半径の大きさ。
原子の大きさは、１０−１６ｍですから、半径＝１０−１６ｍ×半径の原子数
小さな腕、１０−１６ｍ×０．７６３×１０２０個＝７．６３×１０３ｍ＝７．９６Ｋｍ
中位の腕、１０−１６ｍ×１．１４４×１０２０個＝１．１４４×１０４ｍ＝１１．４４Ｋｍ
大きい腕、１０−１６ｍ×１．５２６×１０２０個＝１．５２６×１０４ｍ＝１５．２６Ｋｍ
・ブラックホールに存在する原子数。
ブラックホールに存在する原子数＝４π÷３×ｒ３です。
小さな腕、４π÷３×（０．７６３×１０２０個）３＝１．８６０×１０６０個
中位の腕、４π÷３×（１．１４４×１０２０個）３＝６．２６８×１０６０個
大きな腕、４π÷３×（１．５２６×１０２０個）３＝１４．８７７×１０６０個
・ブラックホールの質量は太陽質量の何倍か。
ブラックホールの原子数は太陽の原子数の何倍かを求める。
太陽の原子数は、６×１０２６個×１．９８９×１０３０Ｋｇ＝１．１９３４×１０５７個です。
小さな腕、１．８６０×１０６０個÷（１．１９３４×１０５７個）＝１．５５８×１０３倍
中位の腕、６．２６８×１０６０個÷（１．１９３４×１０５７個）＝５．２５２×１０３倍
大きな腕、１４．８７７×１０６０個÷（１．１９３４×１０５７個）＝１．２４７×１０４倍
小さな腕の中心に太陽質量の１．５５８×１０３倍のブラックホールが存在する。
中位の腕の中心に太陽質量の５．２５２×１０３倍のブラックホールが存在する。
大きな腕の中心に太陽質量の１．２４７×１０４倍のブラックホールが存在する。
まとめて表に記す。
2008193892.tif 000020
【請求項２６】
どうして、大きな腕の中心にあるブラックホールの質量が大きいのか。
１０−１６ｍの時代（１億歳の時）、大きな腕は、クエーサーのジェットによりできた。
クエーサーのジェットが届く軌道に、ブラックホールの素子が集まり、ブラックホールの素子の塊ができた。この塊は、ブラックホールの素子が１．４８８×１０６１＋２個集まったものです。
クエーサーのジェットが届く軌道は、クエーサーに吸収され、大きな腕になりました。
大きな腕の中心のブラックホールの質量が大きいのは、クエーサーのジェットがその軌道に届き、ブラックホールの素子を集め、塊を作ったからです。
【請求項２７】
腕はどうしてできたか。
初め、クエーサーの周りを、小さな軌道、中位の軌道、大きな軌道、が回転していた。小さな軌道にはブラックホールの素子たちが集まっていた。太陽質量の１．５５８×１０３＋２＝１．５５８×１０５倍のブラックホールの素子たちが集まっていた。中位の軌道には、太陽質量の５．２５２×１０３＋２＝５．２５２×１０５倍のブラックホールの素子たちが集まっていた。大きな軌道には、太陽質量の１．２４７×１０４＋２倍のブラックホールの素子たちが集まっていた。小さな軌道はクエーサーの中央の質量が太陽質量の１０６＋２＝１０８倍のブラックホールに引かれた。そして、小さな軌道は小さな腕になった。中位の軌道は中位の腕になった。大きな軌道は大きな腕になった。
【請求項２８】
クエーサーの回転速度はいくらだったか。クエーサーの周囲の大きな軌道の回転速度はいくらだったか。中位の軌道の回転速度はいくらだったか。小さい軌道の回転速度はいくらだったか。
私は、２００７年９月２８日に提出した特願２００７−２７９６１７の「請求項１」で、クエーサーの大きさとジェットが届く距離を求めた。
現在、銀河系の中心のブラックホールの質量は太陽質量の数百万倍です。
それで、１０−１６ｍの時代（電子のラブの公転軌道が１０−１６ｍの時で、宇宙年齢は１億歳です。）のクエーサーの中心のブラックホールの質量は、太陽質量の１０６＋２倍でした。この事について、私は、２００７年８月２５日に提出した特願２００７−２４６１３９の「請求項１６」に記した。
クエーサーの中心部の質量が太陽の１０８倍の場合。
クエーサーの大きさは、１．８３９×１０１４ｍです。
ジェットが届く距離は３．０６５×１０１５ｍです。
それで、
大きな軌道は、３×１０１５ｍで、
中位の軌道は、２×１０１５ｍで、
小さい軌道は、１×１０１５ｍです。
クエーサーの中心が太陽質量の１０８倍のブラックホールの軌道エネルギーの式は、
５．４３８×１０１８×１０（２×８）÷３Ｊ・Ｋｍ÷半径＝５．４３８×１０１８×１０５．３３Ｊ・Ｋｍ÷半径≒５．４３８×２．１５×１０２３Ｊ・Ｋｍ÷半径＝１．１６９×１０２４Ｊ・Ｋｍ÷半径です。
よって、ジェットが届く軌道の速度は、
大きな軌道は、
１．１６９×１０２４Ｊ・Ｋｍ÷半径＝１．１６９×１０２４Ｊ・Ｋｍ÷（３×１０１２Ｋｍ）＝０．３９×１０１２Ｊ
速度＝（０．３９×１０１２）１／２＝０．６２４×１０６＝６．２×１０５（Ｋｍ）
中位の軌道は、
１．１６９×１０２４Ｊ・Ｋｍ÷半径＝１．１６９×１０２４Ｊ・Ｋｍ÷（２×１０１２Ｋｍ）＝０．５９５×１０１２Ｊ
速度＝（０．５９５×１０１２）１／２＝０．７７１×１０６＝７．７１×１０５（Ｋｍ）
小さい軌道は、
１．１６９×１０２４Ｊ・Ｋｍ÷半径＝１．１６９×１０２４Ｊ・Ｋｍ÷１０１２Ｋｍ＝１．１６９×１０１２Ｊ
速度＝（１．１６９×１０１２）１／２＝１．０８×１０６（Ｋｍ）
いずれも光速以上です。
クエーサーのジェットが届く軌道の回転速度は光速以上です。
クエーサーの速度は、
１．６×１０２４Ｊ・Ｋｍ÷半径＝１．６×１０２４Ｊ・Ｋｍ÷（１．８３９×１０１１Ｋｍ÷２）＝１．６×１０２４Ｊ・Ｋｍ÷（９．１９５×１０１０Ｋｍ）＝０．１７４×１０１４Ｊ
速度＝（０．１７４×１０１４）１／２＝０．４１７×１０７＝４．１７×１０６（Ｋｍ）
クエーサーの回転速度は光速以上です。
この高速回転によって、軌道ができた。
【請求項２９】
クエーサーの引力はいくらだったか。大きな腕になった大きな軌道の引力はいくらだったか。中位の腕になった中位の軌道の引力はいくらだったか。小さい腕になった小さい軌道の引力はいくらだったか。クエーサーと大きな軌道の間の引力はいくらだったか。クエーサーと中位の軌道の間の引力はいくらだったか。クエーサーと小さい軌道の間の引力はいくらだったか。
・クエーサーの引力はいくらだったか。
クエーサーの引力は、クエーサーの中心のブラックホーから出発する磁気の光子のエネルギーです。
クエーサーのブラックホールの質量は太陽質量の１０８倍ですから、
クエーサーの引力＝ブラックホールから出発する磁気の光子のエネルギー＝出発する１束の磁気の光子のエネルギー×ブラックホールの表面の原子数＝１０−２５Ｊ×５．４３８×１０３８＋（２×８）／３個＝１０−２５Ｊ×５．４３８×１０３８×１０５．３３３Ｊ＝５．４３８×１０１８×２．１５＝１．１６９×１０１９Ｊ
クエーサーの引力は、１．１６９×１０１９Ｊです。
・大きな腕になった大きな軌道の引力はいくらだったか。
大きな腕になった大きな軌道の引力は、大きな軌道の中心のブラックホールから出発する磁気の光子のエネルギーです。
大きな軌道の中心のブラックホールの質量は太陽質量の１．２４７×１０６倍ですから、
大きな軌道の中心のブラックホールの引力＝大きな軌道の中心のブラックホールから出発する磁気の光子のエネルギー＝出発する１束の磁気の光子のエネルギー×ブラックホールの表面の原子数＝１０−２５Ｊ×５．４３８×１．２４７１／３×１０３８＋（２×６）／３個＝１０−２５Ｊ×５．４３８×１．０７７×１０３８×１０４Ｊ＝５．８５７×１０１７Ｊ
大きな軌道の中心のブラックホールの引力は、５．８５７×１０１７Ｊです。
・中位の腕になった中位の軌道の引力はいくらだったか。
中位の腕になった中位の軌道の引力は、中位の軌道の中心のブラックホールから出発する磁気の光子のエネルギーです。
中位の軌道の中心のブラックホールの質量は太陽質量の５．２５２×１０５倍ですから、
中位の軌道の中心のブラックホールの引力＝中位の軌道の中心のブラックホールから出発する磁気の光子のエネルギー＝出発する１束の磁気の光子のエネルギー×ブラックホールの表面の原子数＝１０−２５Ｊ×５．４３８×５．２５２１／３×１０３８＋（２×５）／３個＝１０−２５Ｊ×５．４３８×１．７３８×１０３８×１０３．３３３Ｊ＝５．４３８×１．７３８×２．１５×１０１６＝２．０３２×１０１７Ｊ
中位の軌道の中心のブラックホールの引力は、２．０３２×１０１７Ｊです。
・小さい腕になった小さい軌道の引力はいくらだったか。
小さな腕になった小さな軌道の引力は、小さな軌道の中心のブラックホールから出発する磁気の光子のエネルギーです。
小さい軌道の中心のブラックホールの質量は太陽質量の１．５５８×１０５倍ですから、
小さい軌道の中心のブラックホールの引力＝小さい軌道の中心のブラックホールから出発する磁気の光子のエネルギー＝出発する１束の磁気の光子のエネルギー×ブラックホールの表面の原子数＝１０−２５Ｊ×５．４３８×１．５５８１／３×１０３８＋（２×５）／３個＝１０−２５Ｊ×５．４３８×１．１５９×１０３８×１０３．３３３Ｊ＝５．４３８×１．１５９×２．１５×１０１６＝１．３５５×１０１７Ｊ
小さい軌道の中心のブラックホールの引力は、１．３５５×１０１７Ｊです。
・クエーサーと大きな軌道の間の引力はいくらだったか。
クエーサーから出発する磁気の光子の引力は、１．１６９×１０１９Ｊで、大きな軌道の中心のブラックホールから出発する磁気の光子の引力は、５．８５７×１０１７Ｊです。
この間の距離は、３×１０１５ｍです。
この間の引力は、（１．１６９×１０１９Ｊ×５．８５７×１０１７Ｊ）÷（３×１０１５ｍ）２＝７．６０８×１０５Ｊ／ｍ２です。
この引力により、大きな軌道はクエーサーに引かれ、大きな腕になった。
・クエーサーと中位の軌道の間の引力はいくらだったか。
クエーサーから出発する磁気の光子の引力は、１．１６９×１０１９Ｊで、中位の軌道の中心のブラックホールから出発する磁気の光子の引力は、２．０３２×１０１７Ｊです。
この間の距離は、２×１０１５ｍです。
この間の引力は、（１．１６９×１０１９Ｊ×２．０３２×１０１７Ｊ）÷（２×１０１５ｍ）２＝５．９３９×１０５Ｊ／ｍ２です。
この引力により、中位の軌道はクエーサーに引かれ、中位の腕になった。
・クエーサーと小さな軌道の間の引力はいくらだったか。
クエーサーから出発する磁気の光子の引力は、１．１６９×１０１９Ｊで、小さな軌道の中心のブラックホールから出発する磁気の光子の引力は、１．３５５×１０１７Ｊです。
この間の距離は、１０１５ｍです。
この間の引力は、（１．１６９×１０１９Ｊ×１．３５５×１０１７Ｊ）÷（１０１５ｍ）２＝１．５８４×１０６Ｊ／ｍ２です。
この引力により、小さな軌道はクエーサーに引かれ、小さな腕になった。
初めに、小さな軌道が小さな腕になった。
まとめて表に示す。
2008193892.tif 000021
2008193892.tif 000022
【請求項３０】
銀河と原子の関係はどのようであるか。
銀河はまるで原子のようである。
原子は中央に中性子のラブが並んで、自転しながら公転している。即ち螺旋状に回転している。その外側に陽子のラブが並んで、自転しながら公転している。即ち螺旋状に回転している。
原子核は、銀河のバルジに相当します。
電子のラブは原子核の外側を自転しながら公転します。即ち螺旋状に回転している。
電子のラブは、銀河の腕に相当します。
腕はどのようにできたか。
電子のＫ殻、Ｌ殻、Ｍ殻、の軌道は、小さい軌道、中位の軌道、大きい軌道に相当します。
まず、Ｋ殻の軌道（小さい軌道）が、原子核（クエーサー）に引き込まれました。そして、小さな腕になった。
それから、Ｌ殻の軌道（中位の軌道）が、原子核（クエーサー）に引き込まれました。そして、中位の腕になった。
最後に、Ｍ殻の軌道（大きい軌道）が、原子核（クエーサー）に引き込まれました。そして、大きな腕になった。
エネルギーについて。
原子核には中性子のラブと陽子のラブが存在します。
中性子のラブと陽子のラブの質量は、電子のラブの質量の約２０００倍です。
原子核の軌道のエネルギーは、電子の軌道のエネルギーの約２０００倍です。
バルジの中心の質量は、太陽質量の数百万倍です。
腕の中心の質量は、太陽質量の約１０３倍です。
それで、バルジの中心の質量は腕の中心の質量の約１０００倍です。
銀河と原子は相似です。
この事によって、銀河の腕は、電子のラブのように螺旋回転しながら公転していることが理解できる。
【発明の詳細な説明】
【技術分野】
【０００１】  この発明は、惑星の速度、太陽から出発する電磁気のエネルギー、見かけ上の太陽から出発する電磁気の軌道エネルギーに関する。太陽系の速度、銀河系の中心のブラックホールから出発する電磁気のエネルギー、見かけ上の銀河系のブラックホールから出発する電磁気の軌道エネルギーに関する。月の速度、地球から出発する電磁気のエネルギー、見かけ上の地球から出発する電磁気の軌道エネルギーに関する。
太陽から出発する引力。銀河から出発する引力。地球から出発する引力。
銀河の腕が形を変えずに回転する理由に関する。銀河の腕の形成に関する。
【背景技術】
【０００２】  銀河の腕が形を変えずに回転する理由については理解されていない。
見かけ上の太陽から出発する光子の軌道エネルギーについては理解されていない。
【発明の開示】
火星と木星の間の小惑星が衝突しないのは、軌道には一定の速度があるからです。軌道と速度の関係は、軌道のエネルギーと速度の関係に何か一定の法則があるからです。この法則を理解する。惑星の軌道のエネルギーはどのようにできているかを理解する。
まず、太陽と惑星の間にある、軌道のエネルギーと速度２＝加速度の法則を見出す。
そして、銀河の腕が形を変えずに回転する理由はわかっていないので、この問題について解明する。太陽系は、銀河系の中心のブラックホールを中心に公転し、腕を約２００万年で１周螺旋回転する。この事から、公転は螺旋回転によりできる。腕の中心にあるブラックホールは軌道を螺旋回転させ、公転させている。軌道のエネルギーは、螺旋回転させ公転させている。
【発明が解決しようとする課題】
【０００３】１．惑星の太陽からの距離と速度の関係はどのようであるか。見かけ上の出発した光子の軌道エネルギーについて。
２．惑星の軌道エネルギーは、惑星に届く光子１個のエネルギーの何倍か。
３．太陽の表面から放出する光子は何個か。太陽の表面積の原子の数はいくらか。
４．１個の光子が走ってたどり着くエネルギーの式、ａＪ×２×１０８ｍ÷（走った距離×２）はどのように現されるか。太陽の場合はどうか。
５．太陽から１個の光子が走ってたどり着くエネルギーの式は、太陽から出発する１個の光子の何倍か。
６．惑星の軌道エネルギーの式はどうであるか。
７．太陽から出発した光子のエネルギーはいくらか。
８．見かけ上の太陽から出発した光子の軌道エネルギーは、太陽から出発した光子のエネルギーの何倍か。この理由はなぜか。
９．太陽の引力はいくらか。惑星の軌道の引力はいくらか。
１０．惑星の加速度は何によって作られるか。惑星の加速度はいくらか。
１１．軌道のエネルギーは電気の光子のエネルギーです。この電気の光子のエネルギーが加速度を作る。どれ位の電気の光子のエネルギーがどれ位の加速度を作るか。
１２．軌道のエネルギーは磁気の光子のエネルギーです。この磁気の光子のエネルギーが引力を作る。どれ位の磁気の光子のエネルギーがどれ位の引力を作るか。
１３．惑星における▲１▼惑星に届く光子１個のエネルギー、▲２▼惑星に届く光子１．３×１０３７個のエネルギー、▲３▼惑星の軌道のエネルギー、▲４▼惑星の速度２を求める。
１４．軌道のエネルギーの値＝速度２＝加速度Ｋｍ／ｓ２＝太陽から届く電気の光子のエネルギー＝太陽から届く磁気の光子のエネルギー、この事から理解できる事は何か。
１５．太陽系の秒速が銀河系の中心のブラックホールで作られるとした場合、太陽系の公転速度はいくらか。銀河系の中心から太陽系に届く光子１個のエネルギーはいくらか。銀河系の中心から太陽系に届く光子の数はいくらか。軌道エネルギーの式はどのようであるか。銀河系の中心のブラックホールの半径に、何個の電子のラブが存在するか。ブラックホールの半径はいくらか。ブラックホールの質量は太陽質量の何倍であるか。
１６．銀河系の中心のブラックホールの質量が太陽の質量の１０６倍としたら、ブラックホールの半径はいくらか。ブラックホールの表面の原子数はいくらか。ブラックホールが作る軌道エネルギーの式はどのようであるか。太陽系の速度はいくらか。
１７．銀河の中心のブラックホールの質量が太陽質量の１０ｎ倍の場合の一般式を求める。ブラックホールの半径に何個の原子が存在するか。ブラックホールの半径はいくらか。ブラックホールの表面に存在する原子数はいくらか。届く１個の光子のエネルギーはいくらか。星の軌道エネルギーの式はいくらか。星が存在する軌道の速度（星の速度）はいくらか。
１８．月の軌道エネルギーの式はどのようであるか。月の軌道のエネルギーはいくらか。
１９．出発する引力と、見かけ上の引力と、軌道の引力。
２０．公転は腕の螺旋回転によってできる。
２１．銀河系の腕を３種類に分類する。
２２．公転の秒速２（加速度）と軌道のエネルギーの関係はどのように成っているのか。螺旋回転の秒速２（加速度）と軌道エネルギーの関係はどのようになっているか。どうしてそのように成っているのかその理由は何か。
２３．公転する加速度÷軌道のエネルギー、の値はどのようであるか。螺旋回転する加速度÷軌道のエネルギー、の値はどうであるか。
２４．公転では、１Ｊのエネルギーが１Ｋｍ／ｓ２の加速度を作る。螺旋回転では、１Ｊのエネルギーはどれだけの加速度を作るか。
２５．腕の中心に太陽質量の何倍のブラックホールが存在するか。
２６．どうして、大きな腕の中心にあるブラックホールの質量が大きいのか。
２７．腕はどうしてできたか。
２８．クエーサーの回転速度はいくらだったか。クエーサーの周囲の大きな軌道の回転速度はいくらだったか。中位の軌道の回転速度はいくらだったか。小さい軌道の回転速度はいくらだったか。
２９．クエーサーの引力はいくらだったか。大きな腕になった大きな軌道の引力はいくらだったか。中位の腕になった中位の軌道の引力はいくらだったか。小さい腕になった小さい軌道の引力はいくらだったか。クエーサーと大きな軌道の間の引力はいくらだったか。クエーサーと中位の軌道の間の引力はいくらだったか。クエーサーと小さい軌道の間の引力はいくらだったか。
３０．銀河と原子の関係はどのようであるか。
【発明を解決するための手段】
【０００４】  惑星の軌道エネルギーは、太陽から出発する電磁気がその軌道にたどり着いた電磁気のエネルギーである。それで、惑星の軌道エネルギー＝届いた光子１個のエネルギー×太陽から出発した光子の数、です。太陽から出発した光子の数は、太陽の表面の原子から出発した光子です。
届いた光子１個のエネルギーは、出発した光子１個のエネルギーをａＪとすると、ａＪ×２×１０５Ｋｍ÷（距離×２）ですから、ａＪの１０５Ｋｍ倍になる。これを、“見かけ上の出発した光子のエネルギー”と名づける。“見かけ上の出発した光子のエネルギー”は、実際に出発した光子のエネルギーの１０５Ｋｍ倍になり、軌道エネルギーです。
太陽が銀河系の中心のブラックホールを中心に公転するのは、腕を螺旋回転することによって進む現象です。腕のブラックホールは、螺旋回転させ、同時に公転させている。この公転回転は、太陽から届く電磁気が、惑星の軌道を公転させる事と同じです。同じ軌道のエネルギーでも、公転させるために、必要なエネルギーと、螺旋回転させるために必要なエネルギーは異なると考える。
【発明の実施態様】
【０００５】１．惑星の太陽からの距離と速度の関係はどのようであるか。見かけ上の出発した光子の軌道エネルギーについて。
私は、火星と木星の間の小惑星が衝突しないのは、小惑星が存在する軌道の速度は一定であり、小惑星の速度は、小惑星の質量や大きさには無関係であり、太陽からの距離によって、決定されると理解しました。それでは、惑星の太陽からの距離と速度の関係はどのようになっているのでしょうか。
太陽に近い惑星ほど高速です。この事は、惑星に届く太陽のエネルギーが大きいほど高速になっていることを示す。
αＪ÷（惑星の軌道）＝速度２
αＪ÷（距離×２）＝速度２
水星。αＪ÷（０．５７９×１０８Ｋｍ×２）＝４７．３６２Ｋｍ
αＪ＝２．５９７×１０１１Ｊ
金星。αＪ÷（１．０８２×１０８Ｋｍ×２）＝３５．０２２Ｋｍ
αＪ＝２．６５４×１０１１Ｊ
地球。αＪ÷（１．４９６×１０８Ｋｍ×２）＝２９．７８２Ｋｍ
αＪ＝２．６５３×１０１１Ｊ
火星。αＪ÷（２．２７９×１０８Ｋｍ×２）＝２４．０８２Ｋｍ
αＪ＝２．６４３×１０１１Ｊ
木星。αＪ÷（７．７８３×１０８Ｋｍ×２）＝１３．０６２Ｋｍ
αＪ＝２．６５５×１０１１Ｊ
土星。αＪ÷（１４．２９４×１０８Ｋｍ×２）＝９．６５２Ｋｍ
αＪ＝２．６６２×１０１１Ｊ
天王星。αＪ÷（２８．７５０×１０８Ｋｍ×２）＝６．８１２Ｋｍ
αＪ＝２．６６７×１０１１Ｊ
海王星。αＪ÷（４５．０４４×１０８Ｋｍ×２）＝５．４４２Ｋｍ
αＪ＝２．６６６×１０１１Ｊ
よって、αＪ＝２．６５×１０１１Ｊです。
光子が走ってたどり着くエネルギーの式＝ａＪ×２×１０８ｍ÷（走った距離×２）＝ａＪ×１０５Ｋｍ÷距離＝ａ×１０５Ｊ・Ｋｍ÷距離、です。ａＪは出発する光子１個のエネルギーです。
よって、惑星の太陽からの距離と速度の関係式は、
２．６５×１０１１Ｊ・Ｋｍ÷（距離×２）＝１．３２５×１０１１Ｊ÷距離＝速度２です。
見かけ上の出発した光子の軌道エネルギーについて。
軌道エネルギー＝Ａ÷距離として表現するとき、Ａを“見かけ上の出発した軌道エネルギー”と名づける。
その理由は、光子が太陽から惑星まで走る間にエネルギーを減少するからです。Ａにはその減少分も含まれているからです。
２．惑星の軌道エネルギーは、惑星に届く光子１個のエネルギーの何倍か。
惑星の軌道エネルギーは、２．６５×１０１１Ｊ・Ｋｍ÷（距離×２）＝１．３２５×１０１１Ｊ・Ｋｍ÷距離、です。
惑星に届く光子１個のエネルギー＝ａＪ×２×１０８ｍ÷（走った距離×２）＝ａＪ×２×１０５Ｋｍ÷（距離×２）
（ａＪは太陽を出発する１個の電気の光子のエネルギーです。）
惑星の軌道エネルギーは、惑星に届く光子１個のエネルギーの何倍か。
２．６５×１０１１Ｊ・Ｋｍ÷（距離×２）÷｛ａＪ×２×１０５Ｋｍ÷（距離×２）｝＝１．３２５×１０６Ｊ÷ａＪ（倍）
ａＪ＝太陽を出発する電気の光子のエネルギー＝１０−３１Ｊを代入する。
１．３２５×１０６Ｊ÷ａＪ＝１．３２５×１０６Ｊ÷１０−３１Ｊ＝１．３２５×１０３７（倍）
惑星の軌道エネルギーは、惑星に届く光子１個の１．３２５×１０３７倍です。
３．太陽の表面から放出する光子は何個か。太陽の表面積の原子の数はいくらか。
太陽の密度は１．４１です。１ｃｍ３は１．４１ｇです。
１ｃｍ３の原子数は、１．４１ｇ÷（１．６６×１０−２４ｇ）＝８．４９１×１０２３（個）です。
１ｃｍに（８．４９１×１０２３個）１／３＝９．４７×１０７個です。
１ｍに９．４７×１０９個です。
原子１個の大きさは、１ｍ÷（９．４７×１０９個）＝１．０５６×１０−１０ｍです。
太陽の中で、原子１個の平均の大きさは１．０５６×１０−１０ｍです。
約１０−１０ｍです。
太陽で、電子の公転軌道は１０−１０ｍとします。
太陽の半径に、原子の数は、
太陽の半径÷１０−１０ｍ＝６．９６×１０５＋３ｍ÷１０−１０ｍ＝６．９６×１０１８（個）です。
太陽の表面には、
４πｒ２＝４×３．１４×（６．９６×１０１８）２個＝６．０８４×１０３８個です。
太陽の表面の原子数は６．０８４×１０３８個です。
この事から理解できる事。
１．太陽の表面の原子の数は６．０８４×１０３８個で、太陽から、常に、６．０８４×１０３８個の光子が出発している。
２．惑星の軌道エネルギーは、惑星に届く光子１個のエネルギーの１．３２５×１０３７倍であり、この光子は、太陽の表面に存在する原子から放出されている。
３．太陽の表面に存在する６．０８４×１０３８個の水素は常に光子を放出している。１０−３１Ｊの光子を放出している。この光子が走って、惑星に届き、惑星の軌道エネルギーに成っている。
４．惑星の軌道エネルギー＝届く１個の光子のエネルギー×太陽の表面の原子数＝届く１個の光子のエネルギー×光子数＝届く１個の光子のエネルギー×１．３２５×１０３７個
但し、６．０８４×１０３８個を１．３２５×１０３７個とみなす。
５．惑星の軌道エネルギーは太陽が作る軌道エネルギーです。
６．惑星の軌道エネルギーは、太陽が作る電磁気のエネルギーです。
４．１個の光子が走ってたどり着くエネルギーの式、ａＪ×２×１０８ｍ÷（走った距離×２）はどのように現されるか。太陽の場合はどうか。
ａＪは出発する１個の光子のエネルギーです。
光子が走ってたどり着くエネルギーの式＝ａＪ×２×１０８ｍ÷（走った距離×２）＝ａＪ×１０５Ｋｍ÷距離＝ａ×１０５Ｊ・Ｋｍ÷距離
太陽の場合は、ａＪ＝１０−３１Ｊですから、
太陽から１個の光子が走ってたどり着くエネルギーの式＝ａ×１０５Ｊ・Ｋｍ÷距離＝１０−３１Ｊ×１０５Ｋｍ÷距離＝１０−２６Ｊ・Ｋｍ÷距離、です。
５．太陽から１個の光子が走ってたどり着くエネルギーの式は、太陽から出発する１個の光子の何倍か。
太陽から１個の光子が走ってたどり着くエネルギーの式＝１０−２６Ｊ・Ｋｍ÷距離、です。
太陽から出発する１個の光子のエネルギーは、１０−３１Ｊですから、
１０−２６Ｊ・Ｋｍ÷距離÷１０−３１Ｊ＝１０５Ｋｍ÷距離、倍です。
６．惑星の軌道エネルギーの式はどうであるか。
惑星の軌道エネルギー＝太陽から出発した１個の光子が届くエネルギー×太陽から出発する光子の数＝１０−３１Ｊ×１０５Ｋｍ÷距離×１．３２５×１０３７個＝１０−２６Ｊ・Ｋｍ÷距離×１．３２５×１０３７個＝１．３２５×１０１１Ｊ・Ｋｍ÷距離
惑星の軌道エネルギーの式＝１．３２５×１０１１Ｊ・Ｋｍ÷距離
７．太陽から出発した光子のエネルギーはいくらか。
太陽から出発した光子のエネルギー＝太陽から出発した１個の光子のエネルギー×太陽から出発した光子の数＝１０−３１Ｊ×１．３２５×１０３７個＝１．３２５×１０６Ｊ、です。
８．見かけ上の太陽から出発した光子の軌道エネルギーは、太陽から出発した光子のエネルギーの何倍か。この理由はなぜか。
見かけ上の太陽から出発した光子の軌道エネルギーは、１．３２５×１０１１Ｊ・Ｋｍです。
太陽から出発した光子のエネルギーは、１．３２５×１０６Ｊです。
見かけ上の太陽から出発した光子の軌道エネルギーは、太陽から出発した光子のエネルギーの、１．３２５×１０１１Ｊ・Ｋｍ÷（１．３２５×１０６Ｊ）＝１０５Ｋｍ
１０５Ｋｍ倍です。
この理由は、
太陽から出発した光子の数は同じです。
太陽から出発した１個の光子が届くエネルギーは、
光子が走ってたどり着く１個の光子のエネルギーの式＝ａＪ×２×１０８ｍ÷（走った距離×２）＝ａ×１０５Ｊ・Ｋｍ÷走った距離、です。
見かけ上の出発した１個の光子の軌道エネルギー＝Ａ＝ａ×１０５Ｊ・ｋｍ
見かけ上の出発した１個の光子の軌道エネルギーは、ａＪの１０５Ｋｍ倍になっているからです。
見かけ上の出発した１個の光子の軌道エネルギーは、出発した１個の光子のエネルギーの１０５Ｋｍ倍になっているからです。
９．太陽の引力はいくらか。惑星の軌道の引力はいくらか。
太陽の表面の原子の数と同じ数の光子が出発する。この光子は、太陽の表面の原子が作る光子です。原子の電子のラブが作る電気の光子と磁気の光子です。磁気の光子は引力になります。電気の光子は進む力になります。それで、太陽の表面から出る磁気の光子のエネルギーは太陽の引力になります。
軌道に届く磁気の光子のエネルギーは、軌道の引力になります。
太陽の引力は、
太陽から出発する磁気の光子の束のエネルギー×太陽の表面の原子数＝太陽から出発する
１個の電気の光子のエネルギー×太陽の表面の原子数＝１０−３１Ｊ×１．３２５×１０３７個＝１．３２５×１０６Ｊ、です。
太陽の引力は、１．３２５×１０６Ｊです。
惑星の軌道の引力は、惑星の軌道の磁気の光子のエネルギーです。
このエネルギーは、電気の光子のエネルギーと同じです。
軌道のエネルギー＝１．３２５×１０１１Ｊ・Ｋｍ÷距離
惑星の軌道の引力は、１．３２５×１０１１Ｊ・Ｋｍ÷距離、です。
１０．惑星の加速度は何によって作られるか。惑星の加速度はいくらか。
惑星の加速度は、惑星が存在する軌道の加速度です。
その軌道に存在する物体は、どのような質量でも同じ加速度を受けて、同じ加速度で進みます。
軌道の加速度を作るものは、軌道の電気の光子のエネルギーです。
軌道の加速度＝軌道の電気の光子のエネルギー
軌道の電気の光子のエネルギー＝軌道のエネルギー＝１．３２５×１０１１Ｊ・Ｋｍ÷距離
惑星の加速度＝惑星の軌道の加速度＝惑星の軌道の電気の光子のエネルギー＝１．３２５×１０１１Ｊ・Ｋｍ÷距離、です。
この事によって理解できること。
１．惑星の軌道エネルギーは、太陽から届く電気の光子と磁気の光子のエネルギーであり、電気の光子は加速度を作り、磁気の光子は引力を作る。
２．惑星の軌道のエネルギー＝惑星の軌道の電気の光子のエネルギー＝惑星の軌道の加速度＝惑星の軌道の磁気の光子のエネルギー＝惑星の軌道の引力
例えば、木星の場合。
木星の軌道のエネルギー＝軌道の加速度＝軌道の引力
惑星の軌道のエネルギー＝１．３２５×１０１１Ｊ・Ｋｍ÷（７．７８３×１０８Ｋｍ）＝１．７０２×１０２Ｊ
木星の軌道のエネルギーは１．７０２×１０２Ｊで、木星の軌道の電気の光子のエネルギーは１．７０２×１０２Ｊで、木星の軌道の加速度は１．７０２×１０２Ｋｍ／ｓ２です。
木星の軌道のエネルギーは１．７０２×１０２Ｊで、木星の軌道の磁気の光子のエネルギーは１．７０２×１０２Ｊで、木星の軌道の引力は１．７０２×１０２Ｎ・ｍです。
１１．軌道のエネルギーは電気の光子のエネルギーです。この電気の光子のエネルギーが加速度を作る。どれ位の電気の光子のエネルギーがどれ位の加速度を作るか。
エネルギーＪ＝速度２＝加速度Ｋｍ／ｓ２
よって、１Ｊの電気の光子のエネルギーが１Ｋｍ／ｓ２の加速度を作る。
１２．軌道のエネルギーは磁気の光子のエネルギーです。この磁気の光子のエネルギーが引力を作る。どれ位の磁気の光子のエネルギーがどれ位の引力を作るか。
エネルギーＪ＝引力Ｎ・ｍ
よって、１Ｊの磁気の光子のエネルギーが１Ｎ・ｍの引力を作る。
１３．惑星における▲１▼惑星に届く光子１個のエネルギー、▲２▼惑星に届く光子１．３×１０３７個のエネルギー、▲３▼惑星の軌道のエネルギー、▲４▼惑星の速度２を求める。
▲１▼惑星に届く光子１個のエネルギー＝１０−２６ＪＫｍ÷距離
▲２▼惑星に届く光子１．３２５×１０３７個のエネルギー＝１．３２５×１０３７個×惑星に届く光子１個のエネルギー
▲３▼惑星の軌道エネルギー＝２．６５×１０１１ＪＫｍ÷（距離×２）＝１．３２５×１０１１ＪＫｍ÷距離
水星。
▲１▼１０−２６ＪＫｍ÷（０．５７９×１０８Ｋｍ）＝１．７２７×１０−３４Ｊ
▲２▼１．３２５×１０３７個×１．７２７×１０−３４Ｊ＝２．２８８×１０３Ｊ
▲３▼１．３２５×１０１１ＪＫｍ÷距離＝１．３２５×１０１１ＪＫｍ÷（０．５７９×１０８Ｋｍ）＝２．２８８×１０３Ｊ
▲４▼速度２＝（４７．３６Ｋｍ／ｓ）２＝２．２４３×１０３Ｋｍ／ｓ２
金星。
▲１▼１０−２６ＪＫｍ÷（１．０８２×１０８Ｋｍ）＝９．７２８×１０−３５Ｊ
▲２▼１．３２５×１０３７個×９．７２８×１０−３５Ｊ＝１．２８９×１０３Ｊ
▲３▼１．３２５×１０１１ＪＫｍ÷（１．０８２×１０８Ｋｍ）＝１．２２４×１０３Ｊ
▲４▼速度２＝（３５．０２Ｋｍ／ｓ）２＝１．２２６×１０３Ｋｍ／ｓ２
地球。
▲１▼１０−２６ＪＫｍ÷（１．４９６×１０８Ｋｍ）＝６．６８４×１０−３５Ｊ
▲２▼１．３２５×１０３７個×６．６８４×１０−３５Ｊ＝８．８５６×１０２Ｊ
▲３▼１．３２５×１０１１ＪＫｍ÷（１．４９６×１０８Ｋｍ）＝８．８５７×１０２Ｊ
▲４▼速度２＝（２９．７８Ｋｍ／ｓ）２＝８．８６８×１０２Ｋｍ／ｓ２
火星。
▲１▼１０−２６ＪＫｍ÷（２．２７９×１０８Ｋｍ）＝４．３８８×１０−３５Ｊ
▲２▼１．３２５×１０３７個×４．３８８×１０−３５Ｊ＝５．８１４×１０２Ｊ
▲３▼１．３２５×１０１１ＪＫｍ÷（２．２７９×１０８Ｋｍ）＝５．８１４×１０２Ｊ
▲４▼速度２＝（２４．０８Ｋｍ／ｓ）２＝５．７９８×１０２Ｋｍ／ｓ２
木星。
▲１▼１０−２６ＪＫｍ÷（７．７８３×１０８Ｋｍ）＝１．２８５×１０−３５Ｊ
▲２▼１．３２５×１０３７個×１．２８５×１０−３５Ｊ＝１．７０３×１０２Ｊ
▲３▼１．３２５×１０１１ＪＫｍ÷（７．７８３×１０８Ｋｍ）＝１．７０２×１０２Ｊ
▲４▼速度２＝（１３．０６Ｋｍ／ｓ）２＝１．７０６×１０２Ｋｍ／ｓ２
土星。
▲１▼１０−２６ＪＫｍ÷（１４．２９４×１０８Ｋｍ）＝６．９９６×１０−３６Ｊ
▲２▼１．３２５×１０３７個×６．９９６×１０−３６Ｊ＝９．２７０×１０Ｊ
▲３▼１．３２５×１０１１ＪＫｍ÷（１４．２９４×１０８Ｋｍ）＝９．２７０×１０Ｊ
▲４▼速度２＝（９．６５Ｋｍ／ｓ）２＝９．３１２×１０Ｋｍ／ｓ２
天王星。
▲１▼１０−２６ＪＫｍ÷（２８．７５０×１０８Ｋｍ）＝３．４７８×１０−３６Ｊ
▲２▼１．３２５×１０３７個×３．４７８×１０−３６Ｊ＝４．６０８×１０Ｊ
▲３▼１．３２５×１０１１ＪＫｍ÷（２８．７５０×１０８Ｋｍ）＝４．６０９×１０Ｊ
▲４▼速度２＝（６．８１Ｋｍ／ｓ）２＝４．６３８×１０Ｋｍ／ｓ２
海王星。
▲１▼１０−２６ＪＫｍ÷（４５．０４４×１０８Ｋｍ）＝２．２２０×１０−３６Ｊ
▲２▼１．３２５×１０３７個×２．２２０×１０−３６Ｊ＝２．９４２×１０Ｊ
▲３▼１．３２５×１０１１ＪＫｍ÷（４５．０４４×１０８Ｋｍ）＝２．９４２×１０Ｊ
▲４▼速度２＝（５．４４Ｋｍ／ｓ）２＝２．９５９×１０Ｋｍ／ｓ２
まとめて表に示す。
2008193892.tif 000003
１４．軌道のエネルギーの値＝速度２＝加速度Ｋｍ／ｓ２＝太陽から届く電気の光子のエネルギー＝太陽から届く磁気の光子のエネルギー、この事から理解できる事は何か。
１．速度２の単位は、Ｋｍ／ｓ２であり、これは加速度Ｋｍ／ｓ２です。
２．惑星の軌道のエネルギーは、太陽から出発した電気の光子と磁気の光子が軌道に届くエネルギーです。
３．惑星の軌道のエネルギーは、磁気の光子のエネルギーで、引力は磁気の光子のエネルギーですから、惑星の軌道の磁気の光子のエネルギーは引力になります。
４．惑星の軌道のエネルギーは、電気の光子が走るエネルギーですから、電気の光子のエネルギーは、加速度になります。
５．水素が１秒間に作る電気の光子のエネルギー＝水素が１秒間に作る磁気の光子のエネルギーですから、太陽から、磁気の光子も１束で、１０−３１Ｊで出発します。
６．惑星の軌道のエネルギー＝電磁気のエネルギー＝引力Ｎ・ｍ＝速度２＝加速度Ｋｍ／ｓ２です。
７．惑星の軌道の電気の光子のエネルギー１Ｊで１Ｋｍ／ｓ２の加速度になる。
８．惑星の軌道の磁気の光子のエネルギー１Ｊで１Ｎ・ｍの引力になる。
１５．太陽系の秒速が銀河の中心のブラックホールで作られるとした場合、太陽系の公転速度はいくらか。銀河系の中心から太陽系に届く光子１個のエネルギーはいくらか。銀河系の中心から太陽系に届く光子の数はいくらか。軌道エネルギーの式はどのようであるか。銀河系の中心のブラックホールの半径に、何個の電子のラブが存在するか。ブラックホールの半径はいくらか。ブラックホールの質量は太陽質量の何倍であるか。
・太陽系の公転速度はいくらか。
太陽は、銀河系の中心を２億年で１週する。
１週するのにかかる秒数＝２×１０８×３６５×２４×６０×６０＝６．３０７×１０１５（秒）
太陽は、太陽系の中心から２．８万光年離れている。
１週する距離＝２π×２．８×１０４×３×１０５Ｋｍ×３６５×２４×６０×６０＝１．６６４×１０１８Ｋｍ
太陽が銀河系の中心を回転する秒速は、
１週する距離÷１週するのにかかる秒数＝１．６６４×１０１８Ｋｍ÷（６．３０７×１０１５秒）＝２．６３８×１０２Ｋｍ
太陽は秒速２６３．８Ｋｍで公転している。
・銀河系の中心から太陽系に届く光子１個のエネルギーはいくらか。
銀河系の中心はブラックホールです。
ブラックホールの電子のラブの公転軌道は、１０−１６ｍですから、光子の軌道も１０−ｌ６ｍです。
光子１個のエネルギーは、１０−４１Ｊｍ÷１０−１６ｍ＝１０−２５Ｊです。
ブラックホールから出発する光子１個のエネルギーは１０−２５Ｊです。
太陽系に届く光子１個のエネルギーは、
１０−２５Ｊ×２×１０５Ｋｍ÷（２．６４９×１０１７Ｋｍ×２）＝３．７７５×１０−３８Ｊです。
ブラックホールから太陽系に届く光子１個のエネルギーは、３．７７５×１０−３８Ｊです。
・銀河系の中心（ブラックホール）から太陽系に届く光子の数はいくらか。
ブラックホールから太陽系に届く光子の数をｘ個とする。
光子の数×太陽系に届く光子１個のエネルギー＝太陽系の軌道のエネルギー＝速度２
ｘ個×３．７７５×１０−３８Ｊ＝２６３．８２
ｘ個＝６．９５９×１０４÷（３．７７５×１０−３８Ｊ）＝１．８４３×１０４２
銀河系の中心（ブラックホール）から太陽系に届く光子の数は、１．８４３×１０４２個です。
・ブラックホールが作る軌道エネルギーの式はどのようであるか。
ブラックホールが作る軌道エネルギー＝光子の数×届く１個の光子のエネルギー＝１．８４３×１０４２個×１０−２５Ｊ×１０５Ｋｍ÷距離＝１．８４３×１０２２Ｊ・Ｋｍ÷距離
ブラックホールが作る軌道エネルギーの式は、１．８４３×１０２２Ｊ・Ｋｍ÷距離です。
・銀河系の中心のブラックホールの半径に、何個の原子のラブが存在するか。
銀河系の中心のブラックホールの半径にｙ個の原子のラブが存在するとする。
４πｙ２個＝ブラックホールの表面の原子数＝太陽系に届く光子の数＝１．８４３×１０４２個
ｙ２個＝１．８４３×１０４２÷３．１４÷４＝１．４６８×１０４１個
ｙ個＝３．８３１×１０２０個
銀河系の中心のブラックホールの半径に、３．８３１×１０２０個の電子のラブが存在する。
・ブラックホールの半径はいくらか。
１個の電子のラブの公転軌道は１０−１６ｍですから、原子が３．８３１×１０２０個並んでいる距離は、３．８３１×１０２０個×１０−１６ｍ＝３．８３１×１０４ｍ＝３．８３１×１０Ｋｍです。
ブラックホールの半径は、３．８３１×１０Ｋｍです。
・ブラックホールの質量は太陽質量の何倍であるか。
半径に、３．８３１×１０２０個並んでいるから、球体には、
４π÷３×（３．８３１×１０２０個）３個＝４π÷３×５６．２２６×１０６０個＝２．３５４×１０６２個存在する。
この原子数は、太陽の質量の何倍か。
２．３５４×１０６２個÷太陽の質量の原子数＝２．３５４×１０６２個÷（６×１０２６×１．９８９×１０３０Ｋｇ）＝１．９７３×１０５（倍）
ブラックホールの質量は太陽質量の１．９７３×１０５倍です。
即ち、太陽系の公転速度は、２６３．８Ｋｍです。この速度を作る銀河系の中心のブラックホールの質量は、太陽質量の１．９７３×１０５倍です。
１６．銀河系の中心のブラックホールの質量が太陽の質量の１０６倍としたら、ブラックホールの半径はいくらか。ブラックホールの表面の原子数はいくらか。ブラックホールが作る軌道エネルギーの式はどのようであるか。太陽系の速度はいくらか。
・ブラックホールの半径はいくらか。
銀河系の中心のブラックホールの質量は、太陽の質量の１０６倍であるとすると、原子数は、１０６×１Ｋｇの原子数×太陽の質量＝１０６×６×１０２６個×１．９８９×１０３０Ｋｇ＝１．１９３４×１０６３個です。
半径に何個の原子が存在するか。
半径にｘ個存在するとする。
４π÷３×ｘ３＝１．１９３４×１０６３個
ｘ３＝２８５×１０６０個
ｘ＝６．５８×１０２０個
半径に６．５８×１０２０個の原子が存在する。
原子の大きさは、１０−１６ｍですから、
６．５８×１０２０個×１０−１６ｍ＝６．５８×１０４ｍ＝６．５８×１０Ｋｍです。
ブラックホールの半径は６．５８×１０Ｋｍです。
・ブラックホールの表面の原子数はいくらか。
半径に６．５８×１０２０個の原子が存在するので、表面には、
４π×（６．５８×１０２０個）２＝５．４３８×１０４２個存在する。
ブラックホールの表面の原子数は５．４３８×１０４２個です。
・ブラックホールが作る軌道エネルギーの式はどのようであるか。
ブラックホールが作る軌道エネルギー＝ブラックホールの表面の原子数×届く光子１個のエネルギー＝５．４３８×１０４２個×１０−２５Ｊ×１０５Ｋｍ÷距離＝５．４３８×１０２２Ｊ・Ｋｍ÷距離
ブラックホールが作る軌道エネルギーの式は、５．４３８×１０２２Ｊ・Ｋｍ÷距離です。
・太陽系の速度はいくらか。
速度２＝太陽系の軌道のエネルギー＝５．４３８×１０２２Ｊ・Ｋｍ÷距離＝５．４３８×１０２２Ｊ・Ｋｍ÷（２．６４９×１０１７Ｋｍ）＝２．０５３×１０５Ｊ
速度２＝２．０５３×１０５
速度＝４．５３１×１０２
太陽系の速度は４．５３１×１０２Ｋｍです。
この事から理解できる事。
１．銀河系においても、太陽系と同じように、
星の軌道エネルギー＝銀河の中心のブラックホールから届く電磁気のエネルギー＝ブラックホールから出発した１個の光子が届くエネルギー×ブラックホールの表面から出発する光子の数＝ブラックホールから出発した１個の光子が届くエネルギー×ブラックホールの表面の原子数、です。
３．銀河系の中心のブラックホールの質量が太陽の質量の１０６倍の場合、ブラックホールの大きさは半径６．５８×１０Ｋｍです。ブラックホールの表面の原子数は、５．４３８×１０４２個です。軌道エネルギーの式は、５．４３８×１０２２Ｊ・Ｋｍ÷距離です。太陽系の速度は、秒速４５３Ｋｍです。
４．銀河系の中心のブラックホールの質量が太陽の質量の１．９７３×１０５倍の場合、ブラックホールの大きさは半径３．８３１×１０Ｋｍです。ブラックホールの表面の原子数は、１．８４３×１０４２個です。軌道エネルギーの式は、１．８４３×１０２２Ｊ・Ｋｍ÷距離です。太陽系の速度は、秒速２６３．８Ｋｍです。
４．ブラックホールの表面から放出する光子が、銀河系の隅々まで届く。そして、届いた軌道の距離によって、光子１個のエネルギーは異なる。
５．ブラックホールが作る軌道エネルギーの式は、ブラックホールの質量により異なる。
６．星の速度は、ブラックホールからの距離と、ブラックホールの質量によって決定される。
７．銀河系の中心のブラックホールの質量は、太陽質量の数百万倍であるから、太陽系が銀河系の中心を回転する速度は、４５３Ｋｍ以上である。
それで、太陽系の速度は銀河の中心のブラックホールが作ったものではない。
１７．銀河の中心のブラックホールの質量が太陽質量の１０ｎ倍の場合の一般式を求める。ブラックホールの半径に何個の原子が存在するか。ブラックホールの半径はいくらか。ブラックホールの表面に存在する原子数はいくらか。届く１個の光子のエネルギーはいくらか。星の軌道エネルギーの式はいくらか。星が存在する軌道の速度（星の速度）はいくらか。
・ブラックホールの半径に何個の原子が存在するか。
ブラックホールの原子数は、
１０ｎ×６×１０２６個×１．９８９×１０３０Ｋｇ＝１．１９３×１０ｎ＋５７個です。
半径にｘ個の原子が存在するとする。
４π÷３×ｘ３＝１．１９３×１０ｎ＋５７個
ｘ３＝１．１９３×３÷４π×１０ｎ＋５７個
ｘ３＝２８５×１０ｎ＋５４個
ｘ＝（２８５×１０ｎ＋５４個）１／３＝６．５８×１０１８×１０ｎ／３個
ブラックホールの半径に、６．５８×１０１８×１０ｎ／３個の原子が存在する。
・ブラックホールの半径はいくらか。
ブラックホールの半径＝原子１個の大きさ×半径の原子数＝１０−１６ｍ×６．５８×１０１８×１０ｎ／３個＝６．５８×１０２＋ｎ／３ｍ＝０．６５８×１０ｎ／３Ｋｍ
ブラックホールの半径は、０．６５８×１０ｎ／３Ｋｍです。
・ブラックホールの表面に存在する原子数はいくらか。
４π×（６．５８×１０１８×１０ｎ／３個）２＝５．４３８×１０３８×１０２ｎ／３個
ブラックホールの表面に存在する原子数は、５．４３８×１０３８×１０２ｎ／３個です。
・届く１個の光子のエネルギーはいくらか。
ブラックホールから出発する１個の光子のエネルギーは、１０−２５Ｊですから、届く１個の光子のエネルギーは、
１０−２５Ｊ×２×１０５Ｋｍ÷（距離×２）＝１０−２０ＪＫｍ÷距離です。
届く１個の光子のエネルギーは、１０−２０ＪＫｍ÷距離です。
・星の軌道エネルギーの式はいくらか。
星の軌道エネルギー＝光子の数×届く１個の光子のエネルギー＝ブラックホールの表面に存在する原子数×届く１個の光子のエネルギー＝５．４７１×１０３８×１０２ｎ／３個×１０−２０Ｊ・Ｋｍ÷距離＝５．４７１×１０１８＋２ｎ／３Ｊ・Ｋｍ÷距離
星の軌道エネルギーの式は、５．４７１×１０１８＋２ｎ／３ＪＫｍ÷距離です。
・星が存在する軌道の速度（星の速度）はいくらか。
速度２＝軌道のエネルギー＝５．４７１×１０１８＋２ｎ／３ＪＫｍ÷距離
速度＝（５．４７１×１０１８＋２ｎ／３ＪＫｍ÷距離）１／２
１８．月の軌道エネルギーの式はどのようであるか。月の軌道のエネルギーはいくらか。
月の速度はいくらか。
地球の密度は５．５２です。１ｃｍ３は５．５２ｇです。
１ｃｍ３の原子数は、５．５２ｇ÷（１．６６×１０−２４ｇ）＝３．３２４×１０２４個です。
１ｃｍに、（３．３２４×１０２４）１／３＝１．４９３×１０８個です。
１ｍに、１．４９３×１０１０個です。
１個の原子の大きさは、１ｍ÷（１．４９３×１０１０個）＝６．６９８×１０−１１ｍです。
それで、地球の中の原子の大きさの平均を７×１０−１１ｍとする。
地球の半径の原子数は、
６．３７８×１０６ｍ÷（７×１０−１１ｍ）＝９．１１１×１０１６個です。
地球の表面の原子数は、
４π×（９．１１１×１０１６）２＝４×３．１４×（９．１１１×１０１６個）２＝１．０４３×１０３５個です。
この原子から光子が常に放出している。
地球発の光子は青色とする。
青色の波長は、４．５×１０−７ｍですから、軌道は、４．５×１０−７ｍ÷２＝２．２５×１０−７ｍです。
エネルギーは、１０−４１Ｊｍ÷（２．２５×１０−７ｍ）＝４．４４４×１０−３５Ｊです。
届く光子のエネルギーは、４．４４４×１０−３５Ｊ×１０５Ｋｍ÷距離＝４．４４４×１０−３０Ｊ・Ｋｍ÷距離です。
月の軌道エネルギーの式は、
月の軌道エネルギー＝光子の数×届く１個の光子のエネルギー＝地球の表面の原子数×届く１個の光子のエネルギー＝１．０４３×１０３５個×４．４４４×１０−３０Ｊ・Ｋｍ÷距離＝４．６３５×１０５Ｊ・Ｋｍ÷距離です。
月の軌道エネルギーの式は４．６３５×１０５Ｊ・Ｋｍ÷距離です。
・月の軌道のエネルギーはいくらか。
月の軌道のエネルギーは、月の距離は３．８２２×１０５Ｋｍですから、
４．６３５×１０５Ｊ・Ｋｍ÷距離＝４．６３５×１０５Ｊ・Ｋｍ÷（３．８２２×１０５Ｋｍ）＝１．２Ｊです。
月の軌道のエネルギーは、１．２Ｊです。
・月の速度はいくらか。
速度２＝１．２
速度＝１．１（Ｋｍ）
月の速度は、秒速１．１Ｋｍです。
確かめます。
月が１週する距離は、２πｒ＝２×３．１４×３．８２２×１０５Ｋｍ＝２．４×１０６Ｋｍ、です。
２７．３２２日で１週するので、１週する距離は、
１週する距離＝秒速×時間（秒）＝１．１Ｋｍ×２７．３２２×２４×６０×６０＝２．５９６×１０６Ｋｍ、です。
まとめて表に示す。
2008193892.tif 000004
2008193892.tif 000005
１９．出発する引力と、見かけ上の引力と、軌道の引力。
・太陽の場合。
太陽から出発する磁気の光子のエネルギー＝出発する磁気の光子１束のエネルギー×太陽の表面の原子数＝１０−３１Ｊ×１．３２５×１０３７個＝１．３２５×１０６Ｊ
見かけ上の太陽から出発する磁気の光子の軌道エネルギー＝見かけ上の出発する磁気の光子１束のエネルギー×太陽の表面の原子数＝１０−３１Ｊ×１０５Ｋｍ×１．３２５×１０３７個＝１．３２５×１０１１Ｊ・Ｋｍ
軌道の引力＝届く磁気の光子１束のエネルギー×太陽の表面の原子数＝１０−３１Ｊ×１０５Ｋｍ÷距離×１．３２５×１０３７個＝１．３２５×１０１１Ｊ・Ｋｍ÷距離
・銀河の場合。
ブラックホールの質量が太陽質量の１０ｎ倍の場合。
ブラックホールから出発する磁気の光子のエネルギー＝出発する磁気の光子１束のエネルギー×ブラックホールの表面の原子数＝１０−２５Ｊ×５．４３８×１０３８＋２ｎ／３個＝５．４３８×１０１３＋２ｎ／３Ｊ
見かけ上の太陽から出発する磁気の光子の軌道エネルギー＝見かけ上の出発する磁気の光子１束のエネルギー×太陽の表面の原子数＝１０−２５Ｊ×１０５Ｋｍ×５．４３８×１０３８＋２ｎ／３個＝５．４３８×１０１８＋２ｎ／３Ｊ・Ｋｍ
軌道の引力＝届く磁気の光子１束のエネルギー×太陽の表面の原子数＝１０−２５Ｊ×１０５Ｋｍ÷距離×５．４３８×１０３８＋２Ｎ／３個＝５．４３８×１０１８＋２ｎ／３Ｊ・Ｋｍ÷距離
・地球の場合。
地球から出発する磁気の光子のエネルギー＝出発する磁気の光子１束のエネルギー×地球の表面の原子数＝４．４４４×１０−３５Ｊ×１．０４３×１０３５個＝４．６３５Ｊ
見かけ上の地球から出発する磁気の光子の軌道エネルギー＝見かけ上の出発する磁気の光子１束のエネルギー×地球の表面の原子数＝４．４４４×１０−３５Ｊ×１０５Ｋｍ×１．０４３×１０３５個＝４．６３５×１０５Ｊ・Ｋｍ
軌道の引力＝届く磁気の光子１束のエネルギー×太陽の表面の原子数＝４．４４４×１０−３５Ｊ×１０５Ｋｍ÷距離×１．０４３×１０３５個＝４．６３５×１０５Ｊ・Ｋｍ÷距離
この事により理解できたこと。
１．太陽や銀河の中心や地球から出発する磁気の光子は、太陽や銀河の中心や地球から出る引力である。
２．見かけ上の太陽から出発する磁気の光子と電気の光子、見かけ上の銀河の中心から出発する磁気の光子と電気の光子、見かけ上の地球から出発する磁気の光子と電気の光子は、×１０５Ｋｍになるので、出発する磁気の光子と電気の光子の１０５倍の軌道エネルギーである。
まとめて表に記す。
１束の磁気の光子のエネルギー＝１個の電気の光子のエネルギーなので、電気の光子の場合も同じです。
2008193892.tif 000006
２０．公転は腕の螺旋回転によってできる。
・太陽系の軌道は２．８万光年で、２億年で１公転します。この秒速はいくらか。
秒速＝１周囲した距離÷１週に要した秒数＝２π×２．８×１０４×９．４６×１０１２Ｋｍ÷（２×１０８×３６５×２４×６０×６０秒）＝２．６３７×１０２Ｋｍ
１秒間に２．６３７×１０２Ｋｍ進む。この速度は一定です。
・太陽系は２００万年で、腕を１週する。この理由は、地磁気は１００万年で北極と南極が入れ替わるからです。
・太陽系は２００万年で、何Ｋｍ進むか。
２００万年の秒数×秒速＝２×１０６×３６５×２４×６０×６０秒×２．６３７×１０２Ｋｍ＝１．６６３×１０８Ｋｍ進む。
・太陽系が属する腕の半径は、２５００光年です。２００万年で１回転します。
半径＝２５００×９．４６×１０１２Ｋｍ＝２．３６５×１０１６Ｋｍ
・太陽系が螺旋回転する秒速はいくらか。
秒速＝腕の円周÷２００万年（秒）＝２×３．１４×２．３６５×１０１６Ｋｍ÷（２×１０６×３６５×２４×６０×６０秒）＝２．３５４×１０３Ｋｍ
太陽系は、腕の中心を秒速２．３５４×１０３Ｋｍで螺旋回転し、銀河系の中心のブラックホールを中心に秒速２６３．８Ｋｍで公転する。
２１．銀河系の腕を３種類に分類する。
小さな腕と、中位の腕と、大きな腕に分類する。
小さな腕の半径を２万光年、中ぐらいの腕の半径を３万光年、大きな腕の半径を４万光年とする。
腕の形を変えずに回転するためには、腕の速度は、半径に比例しなければならない。
小さい腕の速度：中位の腕の速度：大きな腕の速度＝２：３：４
腕の軌道エネルギーは、軌道エネルギー＝速度２×半径  ですから、
腕の軌道エネルギーの比は、
小さな腕の軌道エネルギー：中位の腕の軌道エネルギー：大きな腕の軌道エネルギー＝２２×２：３２×３：４２×４＝８：２７：６４  です。
中位の腕の進む速度は、２６３．７Ｋｍです。この理由は、太陽系は中位の腕の１つの星で、速度は２６３．７Ｋｍであるからです。
小さい腕の速度は、２６３．７Ｋｍ×２／３＝１７５．８Ｋｍです。
大きな腕の速度は、２６３．７Ｋｍ×４／３＝３５１．６Ｋｍです。
腕のエネルギーは、速度２ですから、
小さな腕のエネルギー＝（１７５．８Ｋｍ）２＝３．０９１×１０４Ｊ
中位の腕のエネルギー＝（２６３．７Ｋｍ）２＝６．９５４×１０４Ｊ
大きな腕のエネルギー＝（３５１．６Ｋｍ）２＝１．２３６×１０５Ｊです。
このエネルギーを作るためには、腕の中心のブラックホールの軌道エネルギーはいくらでなければならないか。
腕の半径＝２５００光年＝２．３６５×１０１６Ｋｍ
軌道エネルギー＝エネルギー×半径
小さい腕の軌道エネルギー＝３．０９１×１０４Ｊ×２．３６５×１０１６Ｋｍ＝７．３１０×１０２０Ｊ・Ｋｍ
中位の腕の軌道エネルギー＝６．９５４×１０４Ｊ×２．３６５×１０１６Ｋｍ＝１．６４５×１０２１Ｊ・Ｋｍ
大きな腕の軌道エネルギー＝１．２３６×１０５Ｊ×２．３６５×１０１６Ｋｍ＝２．９２３×１０２１Ｊ・Ｋｍです。
中位の腕は、２００万年で螺旋状に１回転し、１．６６×１０８Ｋｍ進みます。
螺旋回転する速度は、
１回転の距離÷２００万年（秒）＝腕の円周÷２００万年（秒）＝２×３．１４×２．３６５×１０１６Ｋｍ÷（２×１０６×３６５×２４×６０×６０秒）＝２３５４Ｋｍです。
中位の腕は、１秒間に２３５４Ｋｍ螺旋回転し、２６３．７Ｋｍ進む。
進む方向に２６３．７Ｋｍ÷２３５４Ｋｍ＝０．１１２
螺旋状に走り、約１／１０公転する方向に進む。
中位の腕は、１秒間に２３５４Ｋｍ螺旋回転し、２６３．７Ｋｍ進むので、
小さい腕は、１秒間に１７５．８Ｋｍ進むためには、２３５４Ｋｍ×１７５．８÷２６３．７＝１５６９．３Ｋｍ螺旋回転するとよい。
小さい腕が螺旋回転する速度は、１５６９．３Ｋｍです。
大きい腕は、１秒間に３５１．６Ｋｍ進むためには、２３５４Ｋｍ×３５１．６÷２６３．７＝３１３８．７Ｋｍ螺旋回転するとよい。
大きい腕が螺旋回転する速度は、３１３８．７Ｋｍです。
小さい腕が螺旋回転し、進む距離の割合は、
１７５．８÷１５６９．３＝０．１１２です。
大きい腕が螺旋回転し、進む距離の割合は、
３５１．６÷３１３８．７＝０．１１２です。
螺旋回転の０．１１２は進行方向に向かって走る。
これをまとめ表に示す。
2008193892.tif 000007
２２．公転の秒速２（加速度）と軌道のエネルギーの関係はどのように成っているのか。螺旋回転の秒速２（加速度）と軌道エネルギーの関係はどのようになっているか。どうしてそのように成っているのかその理由は何か。
但し、太陽系や星が腕の中心のブラックホールを中心に回転することを螺旋回転、太陽系や星が螺旋回転しながら、銀河の中心のブラックホールを中心に回転することを公転とする。
秒速と軌道エネルギーの関係は、本来、軌道エネルギー＝速度２×半径です。
この値は、
小さい腕の軌道エネルギー＝（１５６９Ｋｍ）２×２．３６５×１０１６Ｋｍ＝５．８２２×１０２２Ｊ・Ｋｍ
中位の腕の軌道エネルギー＝（２３５４Ｋｍ）２×２．３６５×１０１６Ｋｍ＝１．３１１×１０２３Ｊ・Ｋｍ
大きい腕の軌道エネルギー＝（３１３８．７Ｋｍ）２×２．３６５×１０１６Ｋｍ＝２．３３０×１０２３Ｊ・Ｋｍです。
私が求めた、腕の軌道エネルギーはこの値の何倍か。
小さい腕、７．３１０×１０２０Ｊ・Ｋｍ÷（５．８２２×１０２２Ｊ・Ｋｍ）＝１．２５６×１０−２倍になっている。
中位の腕、１．６４５×１０２１Ｊ・Ｋｍ÷（１．３１１×１０２３Ｊ・Ｋｍ）＝１．２５５×１０−２倍になっている。
大きい腕、２．９２３×１０２１Ｊ・Ｋｍ÷（２．３３０×１０２３Ｊ・Ｋｍ）＝１．２５５×１０−２倍になっている。
この事は、腕の螺旋回転は、１．２５５×１０−２倍のエネルギーで回転できる事を示す。
この理由は、単位で考える。
速度２＝（Ｋｍ／ｓ）２＝Ｋｍ／ｓ２＝加速度
加速度が大きいからです。
速度２の比較。
螺旋回転の速度２は公転速度２の何倍か。螺旋回転の加速度は、公転の加速度の何倍か。
小さい腕は、（１５６９Ｋｍ／ｓ）２÷（１７５．８Ｋｍ／ｓ）２＝２．４６２×１０６÷（３．０９１×１０４）＝７９．６５倍。
中位の腕は、（２３５４Ｋｍ／ｓ）２÷（２６３．７Ｋｍ／ｓ）２＝５．５４１×１０６÷（６．９５４×１０４）＝７９．６８倍。
大きい腕は、（３１３８．７Ｋｍ／ｓ）２÷（３５１．６Ｋｍ／ｓ）２＝９．８５１×１０６÷（１．２３６×１０５）＝７９．７０倍。
螺旋回転の加速度は、公転の加速度の７９．６８倍です。
加速度が大きいので軌道のエネルギーは１．２５６×１０−２倍でよい。
腕の軌道エネルギーが従来の速度２×半径の１．２５６×１０−２倍でよい理由は、加速度が７９．６８倍であるからです。
この事によって理解できたこと。
軌道のエネルギー＝速度２＝加速度、であるのは、公転軌道の場合であり、螺旋軌道の場合は軌道のエネルギー×７９．６８＝速度２＝加速度、である。
２３．公転する加速度÷軌道のエネルギー、の値はどのようであるか。螺旋回転する加速度÷軌道のエネルギー、の値はどうであるか。
・公転する加速度÷軌道のエネルギーの値はどのようであるか。
小さい腕、１７５．８２Ｋｍ÷（３．０９１×１０４Ｊ）＝１
中位の腕、２６３．７２Ｋｍ÷（６．９５４×１０４Ｊ）＝１
大きい腕、３５１．６２Ｋｍ÷（１．２３６×１０５Ｊ）＝１
・螺旋回転する加速度÷軌道のエネルギーの値はどうであるか。
小さい腕、１５６９．３２Ｋｍ÷（３．０９１×１０４Ｊ）＝７９．６５
中位の腕、２３５４２Ｋｍ÷（６．９５４×１０４Ｊ）＝７９．６８
大きい腕、３１３８．７２Ｋｍ÷（１．２３６×１０５Ｊ）＝７９．７
この事から理解できること。
１．公転の場合、軌道のエネルギーは加速度に変換される。
２．螺旋回転の場合、軌道エネルギーの７９．７倍が加速度に変換される。
３．螺旋回転の加速度は、軌道のエネルギーの７９．７分の１でできる。
４．螺旋回転の加速度は、公転の加速度の７９．７倍です。
５．螺旋回転を作るエネルギーは、公転を作るエネルギーの７９．７分の１です。
６．公転を作るエネルギーは、螺旋回転を作るエネルギーの７９．７倍です。
７．同じ軌道で、同じエネルギーの軌道では、螺旋回転の加速度は、公転軌道の加速度の７９．７倍です。
８．今まで考えてきた、軌道のエネルギー＝速度２＝加速度の式は、公転の場合の式です。
９．螺旋回転の場合の式は、
軌道のエネルギー＝速度２÷７９．７＝加速度÷７９．７
速度２＝加速度＝軌道のエネルギー×７９．７、です。
１０．螺旋回転のエネルギー消費量は、公転のエネルギー消費量の７９．７分の１です。
１１．螺旋回転のエネルギー消費効率は公転の７９．７倍です。
２４．公転では、１Ｊのエネルギーが１Ｋｍ／ｓ２の加速度を作る。螺旋回転では、１Ｊのエネルギーはどれだけの加速度を作るか。
・螺旋回転する加速度÷軌道のエネルギーの値はどうであるか。
小さい腕、１５６９．３２Ｋｍ÷（３．０９１×１０４Ｊ）＝７９．６５
中位の腕、２３５４２Ｋｍ÷（６．９５４×１０４Ｊ）＝７９．６８
大きい腕、３１３８．７２Ｋｍ÷（１．２３６×１０５Ｊ）＝７９．７
この事から、螺旋回転のとき、１Ｊのエネルギーは、７９．７Ｋｍ／ｓ２の加速度を作る。
螺旋回転させるために、軌道の１Ｊのエネルギーは、７９．７Ｋｍ／ｓ２の加速度を作る。
軌道の１Ｊのエネルギーは、７９．７Ｋｍ／ｓ２の螺旋回転の加速度を作る。
まとめて表に示す。
2008193892.tif 000008
２５．腕の中心に太陽質量の何倍のブラックホールが存在するか。
・ブラックホールの表面の原子数。
軌道エネルギー＝表面の原子数×届く光子１個のエネルギー
表面の原子数＝軌道エネルギー÷届く光子１個のエネルギー＝軌道エネルギー÷１０−２０Ｊ
この式から、
小さな腕のブラックホールの表面の原子数＝７．３１０×１０２０Ｊ・Ｋｍ÷１０−２０Ｊ＝７．３１×１０４０個
中位の腕のブラックホールの表面の原子数＝１．６４５×１０２１Ｊ・Ｋｍ÷１０−２０Ｊ＝１．６４５×１０４１個
大きな腕のブラックホールの表面の原子数＝２．９２３×１０２１Ｊ・Ｋｍ÷１０−２０Ｊ＝２．９２３×１０４１個
・ブラックホールの半径に存在する原子数。
表面の原子数＝４πｒ２ですから、ｒはいくらか。
小さな腕、４πｒ２＝７．３１×１０４０個  ｒ２＝７．３１×１０４０個÷４÷３．１４＝０．５８２×１０４０個
ｒ＝０．７６３×１０２０個
中位の腕、４πｒ２＝１．６４５×１０４１個  ｒ２＝１６．４５×１０４０個÷４÷３．１４＝１．３１０×１０４０個
ｒ＝１．１４４×１０２０個
大きな腕、４πｒ２＝２．９２３×１０４１個  ｒ２＝２９．２３×１０４０個÷４÷３．１４＝２．３２７×１０４０個
ｒ＝１．５２６×１０２０個
・ブラックホールの半径の大きさ。
原子の大きさは、１０−１６ｍですから、半径＝１０−１６ｍ×半径の原子数
小さな腕、１０−１６ｍ×０．７６３×１０２０個＝７．６３×１０３ｍ＝７．９６Ｋｍ
中位の腕、１０−１６ｍ×１．１４４×１０２０個＝１．１４４×１０４ｍ＝１１．４４Ｋｍ
大きい腕、１０−１６ｍ×１．５２６×１０２０個＝１．５２６×１０４ｍ＝１５．２６Ｋｍ
・ブラックホールに存在する原子数。
ブラックホールに存在する原子数＝４π÷３×ｒ３です。
小さな腕、４π÷３×（０．７６３×１０２０個）３＝１．８６０×１０６０個
中位の腕、４π÷３×（１．１４４×１０２０個）３＝６．２６８×１０６０個
大きな腕、４π÷３×（１．５２６×１０２０個）３＝１４．８７７×１０６０個
・ブラックホールの質量は太陽質量の何倍か。
ブラックホールの原子数は太陽の原子数の何倍かを求める。
太陽の原子数は、６×１０２６個×１．９８９×１０３０Ｋｇ＝１．１９３４×１０５７個です。
小さな腕、１．８６０×１０６０個÷（１．１９３４×１０５７個）＝１．５５８×１０３倍
中位の腕、６．２６８×１０６０個÷（１．１９３４×１０５７個）＝５．２５２×１０３倍
大きな腕、１４．８７７×１０６０個÷（１．１９３４×１０５７個）＝１．２４７×１０４倍
小さな腕の中心に太陽質量の１．５５８×１０３倍のブラックホールが存在する。
中位の腕の中心に太陽質量の５．２５２×１０３倍のブラックホールが存在する。
大きな腕の中心に太陽質量の１．２４７×１０４倍のブラックホールが存在する。
まとめて表に記す。
2008193892.tif 000009
２６．どうして、大きな腕の中心にあるブラックホールの質量が大きいのか。
１０−１６ｍの時代（１億歳の時）、大きな腕は、クエーサーのジェットによりできた。
クエーサーのジェットが届く軌道に、ブラックホールの素子が集まり、ブラックホールの素子の塊ができた。この塊は、ブラックホールの素子が１．４８８×１０６１＋２個集まったものです。
クエーサーのジェットが届く軌道は、クエーサーに吸収され、大きな腕になりました。
大きな腕の中心のブラックホールの質量が大きいのは、クエーサーのジェットがその軌道に届き、ブラックホールの素子を集めブラックホールの塊を作ったからです。
２７．腕はどうしてできたか。
初め、クエーサーの周りを、小さな軌道、中位の軌道、大きな軌道、が回転していた。小さな軌道にはブラックホールの素子たちが集まっていた。太陽質量の１．５５８×１０３＋２＝１．５５８×１０５倍のブラックホールの素子たちが集まっていた。中位の軌道には、太陽質量の５．２５２×１０３＋２＝５．２５２×１０５倍のブラックホールの素子たちが集まっていた。大きな軌道には、太陽質量の１．２４７×１０４＋２倍のブラックホールの素子たちが集まっていた。小さな軌道はクエーサーの中央の質量が太陽質量の１０６＋２＝１０８倍のブラックホールに引かれた。そして、小さな軌道は小さな腕になった。中位の軌道は中位の腕になった。大きな軌道は大きな腕になった。
２８．クエーサーの回転速度はいくらだったか。クエーサーの周囲の大きな軌道の回転速度はいくらだったか。中位の軌道の回転速度はいくらだったか。小さい軌道の回転速度はいくらだったか。
私は、２００７年９月２８日に提出した特願２００７−２７９６１７の「請求項１」で、クエーサーの大きさとジェットが届く距離を求めた。
現在、銀河系の中心のブラックホールの質量は太陽質量の数百万倍です。
それで、１０−１６ｍの時代（電子のラブの公転軌道が１０−１６ｍの時で、宇宙年齢は１億歳です。）のクエーサーの中心のブラックホールの質量は、太陽質量の１０６＋２倍でした。この事について、私は、２００７年８月２５日に提出した特願２００７−２４６１３９の「請求項１６」に記した。
クエーサーの中心部の質量が太陽の１０８倍の場合。
クエーサーの大きさは、１．８３９×１０１４ｍです。
ジェットが届く距離は３．０６５×１０１５ｍです。
それで、
大きな軌道は、３×１０１５ｍで、
中位の軌道は、２×１０１５ｍで、
小さい軌道は、１×１０１５ｍです。
クエーサーの中心が太陽質量の１０８倍のブラックホールの軌道エネルギーの式は、
５．４３８×１０１８×１０（２×８）÷３Ｊ・Ｋｍ÷半径＝５．４３８×１０１８×１０５．３３Ｊ・Ｋｍ÷半径≒５．４３８×２．１５×１０２３Ｊ・Ｋｍ÷半径＝１．１６９×１０２４Ｊ・Ｋｍ÷半径です。
よって、ジェットが届く軌道の速度は、
大きな軌道は、
１．１６９×１０２４Ｊ・Ｋｍ÷半径＝１．１６９×１０２４Ｊ・Ｋｍ÷（３×１０１２Ｋｍ）＝０．３９×１０１２Ｊ
速度＝（０．３９×１０１２）１／２＝０．６２４×１０６＝６．２×１０５（Ｋｍ）
中位の軌道は、
１．１６９×１０２４Ｊ・Ｋｍ÷半径＝１．１６９×１０２４Ｊ・Ｋｍ÷（２×１０１２Ｋｍ）＝０．５９５×１０１２Ｊ
速度＝（０．５９５×１０１２）１／２＝０．７７１×１０６＝７．７１×１０５（Ｋｍ）
小さい軌道は、
１．１６９×１０２４Ｊ・Ｋｍ÷半径＝１．１６９×１０２４Ｊ・Ｋｍ÷１０１２Ｋｍ＝１．１６９×１０１２Ｊ
速度＝（１．１６９×１０１２）１／２＝１．０８×１０６（Ｋｍ）
いずれも光速以上です。
クエーサーのジェットが届く軌道の回転速度は光速以上です。
クエーサーの速度は、
１．６×１０２４Ｊ・Ｋｍ÷半径＝１．６×１０２４Ｊ・Ｋｍ÷（１．８３９×１０１１Ｋｍ÷２）＝１．６×１０２４Ｊ・Ｋｍ÷（９．１９５×１０１０Ｋｍ）＝０．１７４×１０１４Ｊ
速度＝（０．１７４×１０１４）１／２＝０．４１７×１０７＝４．１７×１０６（Ｋｍ）
クエーサーの回転速度は光速以上です。
この高速回転により軌道ができた。軌道は中央に引き込まれた。
２９．クエーサーの引力はいくらだったか。大きな腕になった大きな軌道の引力はいくらだったか。中位の腕になった中位の軌道の引力はいくらだったか。小さい腕になった小さい軌道の引力はいくらだったか。クエーサーと大きな軌道の間の引力はいくらだったか。クエーサーと中位の軌道の間の引力はいくらだったか。クエーサーと小さい軌道の間の引力はいくらだったか。
・クエーサーの引力はいくらだったか。
クエーサーの引力は、クエーサーの中心のブラックホーから出発する磁気の光子のエネルギーです。
クエーサーのブランクホールの質量は太陽質量の１０８倍ですから、
クエーサーの引力＝ブラックホールから出発する磁気の光子のエネルギー＝出発する１束の磁気の光子のエネルギー×ブラックホールの表面の原子数＝１０−２５Ｊ×５．４３８×１０３８＋（２×８）／３個＝１０−２５Ｊ×５．４３８×１０３８×１０５．３３３Ｊ＝５．４３８×１０１８×２．１５＝１．１６９×１０１９Ｊ
クエーサーの引力は、１．１６９×１０１９Ｊです。
・大きな腕になった大きな軌道の引力はいくらだったか。
大きな腕になった大きな軌道の引力は、大きな軌道の中心のブラックホールから出発する磁気の光子のエネルギーです。
大きな軌道の中心のブラックホールの質量は太陽質量の１．２４７×１０６倍ですから、
大きな軌道の中心のブラックホールの引力＝大きな軌道の中心のブラックホールから出発する磁気の光子のエネルギー＝出発する１束の磁気の光子のエネルギー×ブラックホールの表面の原子数＝１０−２５Ｊ×５．４３８×１．２４７１／３×１０３８＋（２×６）／３個＝１０−２５Ｊ×５．４３８×１．０７７×１０３８×１０４Ｊ＝５．８５７×１０１７Ｊ
大きな軌道の中心のブラックホールの引力は、５．８５７×１０１７Ｊです。
・中位の腕になった中位の軌道の引力はいくらだったか。
中位の腕になった中位の軌道の引力は、中位の軌道の中心のブラックホールから出発する磁気の光子のエネルギーです。
中位の軌道の中心のブラックホールの質量は太陽質量の５．２５２×１０５倍ですから、
中位の軌道の中心のブラックホールの引力＝中位の軌道の中心のブラックホールから出発する磁気の光子のエネルギー＝出発する１束の磁気の光子のエネルギー×ブラックホールの表面の原子数＝１０−２５Ｊ×５．４３８×５．２５２１／３×１０３８＋（２×５）／３個＝１０−２５Ｊ×５．４３８×１．７３８×１０３８×１０３．３３３Ｊ＝５．４３８×１．７３８×２．１５×１０１６＝２．０３２×１０１７Ｊ
中位の軌道の中心のブラックホールの引力は、２．０３２×１０１７Ｊです。
・小さい腕になった小さい軌道の引力はいくらだったか。
小さな腕になった小さな軌道の引力は、小さな軌道の中心のブラックホールから出発する磁気の光子のエネルギーです。
小さい軌道の中心のブラックホールの質量は太陽質量の１．５５８×１０５倍ですから、
小さい軌道の中心のブラックホールの引力＝小さい軌道の中心のブラックホールから出発する磁気の光子のエネルギー＝出発する１束の磁気の光子のエネルギー×ブラックホールの表面の原子数＝１０−２５Ｊ×５．４３８×１．５５８１／３×１０３８＋（２×５）／３個＝１０−２５Ｊ×５．４３８×１．１５９×１０３８×１０３．３３３Ｊ＝５．４３８×１．１５９×２．１５×１０１６＝１．３５５×１０１７Ｊ
小さい軌道の中心のブラックホールの引力は、１．３５５×１０１７Ｊです。
・クエーサーと大きな軌道の間の引力はいくらだったか。
クエーサーから出発する磁気の光子の引力は、１．１６９×１０１９Ｊで、大きな軌道の中心のブラックホールから出発する磁気の光子の引力は、５．８５７×１０１７Ｊです。
この間の距離は、３×１０１５ｍです。
この間の引力は、（１．１６９×１０１９Ｊ×５．８５７×１０１７Ｊ）÷（３×１０１５ｍ）２＝７．６０８×１０５Ｊ／ｍ２です。
この引力により、大きな軌道はクエーサーに引かれ、大きな腕になった。
・クエーサーと中位の軌道の間の引力はいくらだったか。
クエーサーから出発する磁気の光子の引力は、１．１６９×１０１９Ｊで、中位の軌道の中心のブラックホールから出発する磁気の光子の引力は、２．０３２×１０１７Ｊです。
この間の距離は、２×１０１５ｍです。
この間の引力は、（１．１６９×１０１９Ｊ×２．０３２×１０１７Ｊ）÷（２×１０１５ｍ）２＝５．９３９×１０５Ｊ／ｍ２です。
この引力により、中位の軌道はクエーサーに引かれ、中位の腕になった。
・クエーサーと小さな軌道の間の引力はいくらだったか。
クエーサーから出発する磁気の光子の引力は、１．１６９×１０１９Ｊで、小さな軌道の中心のブラックホールから出発する磁気の光子の引力は、１．３５５×１０１７Ｊです。
この間の距離は、１０１５ｍです。
この間の引力は、（１．１６９×１０１９Ｊ×１．３５５×１０１７Ｊ）÷（１０１５ｍ）２＝１．５８４×１０６Ｊ／ｍ２です。
この引力により、小さな軌道はクエーサーに引かれ、小さな腕になった。
初めに、小さな軌道が小さな腕になった。
まとめて表に示す。
2008193892.tif 000010
３０．銀河と原子の関係はどのようであるか。
銀河はまるで原子のようである。
原子は中央に中性子のラブが並んで、自転しながら公転している。即ち螺旋状に回転している。その外側に陽子のラブが並んで、自転しながら公転している。即ち螺旋状に回転している。
原子核は、銀河のバルジに相当します。
電子のラブは原子核の外側を螺旋状に回転している。
電子のラブは銀河の腕に相当します。
腕はどのようにできたか。
電子のＫ殻、Ｌ殻、Ｍ殻、の軌道は、小さい軌道、中位の軌道、大きい軌道に相当します。
まず、Ｋ殻の軌道（小さい軌道）が、原子核（クエーサー）に引き込まれました。そして、小さな腕になった。
それから、Ｌ殻の軌道（中位の軌道）が、原子核（クエーサー）に引き込まれました。そして、中位の腕になった。
最後に、Ｍ殻の軌道（大きい軌道）が、原子核（クエーサー）に引き込まれました。そして、大きな腕になった。
エネルギーについて。
原子核には中性子のラブと陽子のラブが存在します。
中性子のラブと陽子のラブの質量は、電子のラブの質量の約２０００倍です。
原子核の軌道のエネルギーは、電子のラブの軌道のエネルギーの約２０００倍です。
バルジの中心の質量は、太陽質量の数百万倍です。
腕の中心の質量は、太陽質量の約１０３倍です。
それで、バルジの中心の質量は腕の中心の質量の約１０００倍です。
銀河と原子は相似です。
この事によって、銀河の腕は、電子のラブのように螺旋回転しながら公転していることが理解できる。
【発明の効果】
【０００６】次のことが理解できた。
１．惑星の太陽からの距離と速度の関係式は、２．６５×１０１１Ｊ÷（距離×２）＝速度２です。
２．惑星の軌道エネルギーは、惑星に届く光子１個の１．３２５×１０３７倍です。
３．惑星の軌道エネルギーは、惑星に届く光子１個のエネルギーの１．３２５×１０３７倍であり、この光子は、太陽の表面に存在する原子から放出されている。
４．惑星の軌道エネルギーは、太陽が作る電磁気のエネルギーです。
５．太陽から１個の光子が走ってたどり着くエネルギーの式＝ａ×１０５Ｊ・Ｋｍ÷距離＝１０−３１Ｊ×１０５Ｋｍ÷距離＝１０−２６Ｊ・Ｋｍ÷距離、です。
６．惑星の軌道エネルギー＝１．３２５×１０１１Ｊ・Ｋｍ÷距離
７．太陽から出発した光子のエネルギー＝太陽から出発した１個の光子のエネルギー×太陽から出発した光子の数＝１０−３１Ｊ×１．３２５×１０３７個＝１．３２５×１０６Ｊ、です。
８．見かけ上の太陽から出発した光子の軌道エネルギーは、太陽から出発した光子のエネルギーの１０５Ｋｍ倍です。
９．太陽の引力は、１．３２５×１０６Ｊです．惑星の軌道の引力は、１．３２５×１０１１Ｊ・Ｋｍ÷距離、です。
１０．惑星の加速度＝惑星の軌道の加速度＝惑星の軌道の電気の光子のエネルギー＝１．３２５×１０１１Ｊ・Ｋｍ÷距離、です。
１１．惑星の軌道エネルギーは、太陽から届く電気の光子と磁気の光子のエネルギーであり、電気の光子は加速度を作り、磁気の光子は引力を作る。
１２．惑星の軌道のエネルギー＝惑星の軌道の電気の光子のエネルギー＝惑星の軌道の加速度＝惑星の軌道の磁気の光子のエネルギー＝惑星の軌道の引力
１３．１Ｊの電気の光子のエネルギーが１Ｋｍ／ｓ２の加速度を作る。
１４．１Ｊの磁気の光子のエネルギーが１Ｎ・ｍの引力を作る。
１５．太陽系の秒速が２６３．８Ｋｍの場合。
銀河系の中心のブラックホールが作る軌道エネルギー＝光子の数×届く１個の光子のエネルギー＝１．８４３×１０４２個×１０−２５Ｊ×１０５Ｋｍ÷距離＝１．８４３×１０２２Ｊ・Ｋｍ÷距離
１６．太陽系の秒速は２６３．８Ｋｍです。太陽系の秒速が銀河の中心のブラックホールで作られるとした場合、ブラックホールの質量は、太陽質量の１．９７３×１０５倍です。
１７．銀河系の中心のブラックホールの質量が太陽の質量の１０６倍の場合、ブラックホールの大きさは半径６．５８×１０Ｋｍです。ブラックホールの表面の原子数は、５．４３８×１０４２個です。軌道エネルギーの式は、５．４３８×１０２２Ｊ・Ｋｍ÷距離です。太陽系の速度は、秒速４５３Ｋｍです。
１８．銀河系の中心のブラックホールの質量は太陽の質量の数百万倍ですから、太陽系の公転速度は、秒速４５３Ｋｍ以上です。しかし、太陽系の秒速は、２６３．８Ｋｍですから、この速度は、銀河系の中心のブラックホールによってできたものではない。
１９．銀河の腕を、小さい腕の半径は２万光年、中位の半径を３万光年、大きい腕の半径を４万光年、とすると、各腕は表に示した性質になっている。
２０．公転では、１Ｊのエネルギーが１Ｋｍ／ｓ２の加速度を作る。螺旋回転では、１Ｊのエネルギーは、７９．７Ｋｍ／ｓ２の加速度を作る
２１．螺旋回転のエネルギーの消費量は、公転のエネルギーの消費量の７９．７分の１です。
２２．太陽系は中位の腕に属し、秒速２３５４Ｋｍで螺旋回転し、秒速２６７．３Ｋｍで公転する。
２３．中位の腕の中には、太陽質量の５．２５２×１０３倍のブラックホールが存在している。
これは、１億歳の宇宙で、１．８６０×１０６０＋２個の“ブラックホールの素子”が集合し、中位の軌道を作ってできたものです。
２４．１億歳の宇宙で、大きな軌道は３×１０１５ｍで、中位の軌道は２×１０１５ｍで、小さい軌道は１０１５ｍでした。
２５．１億歳の宇宙で、クエーサーの中心のブラックホールは、太陽質量の１０８倍で、出発する引力は、１．１６９×１０１９Ｊです。
２６．１億歳の宇宙で、クエーサーと小さい軌道の間の引力は１．５８４×１０６Ｊ／ｍ２で、クエーサーと中位の軌道の間の引力は５．９３９×１０５Ｊ／ｍ２で、クエーサーと大きい軌道の間の引力は７．６０８×１０５Ｊ／ｍ２です。それで、小さい軌道からクエーサーに引き込まれ、小さな腕ができました。
２７．原子と銀河の相似性により、銀河の腕の生成が見えるように理解できた。
２８．原子と銀河の相似性により、銀河の腕の星達が螺旋回転し公転していることが理解できた。
【図面の簡単な説明】
【０００７】
【図１】軌道エネルギーの式が、軌道エネルギー＝Ａ÷距離、と表すとき、Ａ＝見かけ上の出発する軌道エネルギーです。  出発する１個（１束）の光子のエネルギー＝ａＪ  見かけ上の出発する１個（１束）の光子のエネルギー＝ａＪ×１０５Ｋｍ  届く１個（１束）の光子のエネルギー＝ａＪ×１０５Ｋｍ÷距離  出発する光子のエネルギー＝出発する１個（１束）の光子のエネルギー×表面の原子数＝出発する引力  見かけ上の出発する光子のエネルギー＝見かけ上の出発する１個（１束）の光子のエネルギー×表面の原子数＝出発する１個（１束）の光子のエネルギー×１０５Ｋｍ×表面の原子数  届く軌道の光子のエネルギー＝見かけ上の出発する光子の軌道エネルギー÷距離＝軌道の速度２＝軌道の加速度＝軌道の引力
【図２】中位の腕の中心には、太陽質量の５．２５２×１０３倍のブラックホールが存在し、周囲の軌道を螺旋回転させている。螺旋回転の軌道エネルギーの式は、１．６４５×１０２１Ｊ・Ｋｍ÷距離です。螺旋回転のエネルギー消費効率は、公転の７９．７倍です。太陽系は、半径２５００光年（２．３６５×１０１６Ｋｍ）の軌道に存在し、軌道のエネルギーは、６．９５４×１０４Ｊで、秒速２３５４Ｋｍで螺旋回転する。そして、２００万年で１周し、１．６６×１０８Ｋｍ進む（銀河系の中心のブラックホールの周りを公転する）。
【図３】１億歳の宇宙で、大きな軌道は３×１０１５ｍで、中位の軌道は２×１０１５ｍで、小さい軌道は１０１５ｍでした。小さい軌道には、１．８６０×１０６０個の“ブラックホールの素子”が集まり、塊を作った。中位の軌道には、６．２６８×１０６０個の“ブラックホールの素子”が集まり、塊を作った。大きな軌道には、１４．８８×１０６０個の“ブラックホールの素子”が集まり、塊を作った。クエーサーと小さい軌道の間の引力は１．５８４×１０６Ｊ／ｍ２で、クエーサーと中位の軌道の間の引力は５．９３９×１０５Ｊ／ｍ２で、クエーサーと大きい軌道の間の引力は７．６０８×１０５Ｊ／ｍ２です。それで、小さい軌道からクエーサーに引き込まれ、小さな腕ができました。
【符号の説明】
【０００８】１．出発する１個（１束）の光子のエネルギー＝ａＪ
２．見かけ上の出発する１個（１束）の光子のエネルギー＝ａＪ×１０５Ｋｍ
３．届く１個（１束）の光子のエネルギー＝ａＪ×１０５Ｋｍ÷距離
４．出発する光子のエネルギー＝出発する１個（１束）の光子のエネルギー×表面の原子数＝出発する引力
５．見かけ上の出発する光子のエネルギー＝見かけ上の出発する１個（１束）の光子のエネルギー×表面の原子数＝出発する１個（１束）の光子のエネルギー×１０５Ｋｍ×表面の原子数
６．届く軌道の光子のエネルギー＝見かけ上の出発する光子の軌道エネルギー÷距離＝軌道の速度２＝軌道の加速度＝軌道の引力
７．中位の腕
８．中位の腕の中心に存在するブラックホール
９．螺旋回転する半径２５００光年の軌道
１０．太陽系
１１．１回螺旋回転し、１．６６×１０８Ｋｍ公転する。
１２．クエーサー
１３．小さな軌道
１４．中位の軌道
１５．大きな軌道
１６．小さな軌道のブラックホールの塊
１７．中位の軌道のブラックホールの塊
１８．大きな軌道のブラックホールの塊
１９．小さな腕
２０．中位の腕
２１．大きな腕
【図１】
2008193892.tif 000023
【図２】
2008193892.tif 000024
【図３】
2008193892.tif 000025